(57)【要約】【課題】表面から汚れ、ラベル、及び他の接着剤材料を除去するための組成物、及び方法の提供。【解決手段】本発明によると、本組成物及び方法は、任意選択的に界面活性剤、キレート剤、酸味剤及び／またはさらなる瓶洗浄添加剤と組み合わせた、水性または非水性塩基性有機溶媒及び／またはアミジンを使用して、ラベル、合成糊及び／または接着剤を複数の表面から完全に除去することを提供する。有益にも、本組成物及び方法は、腐食剤不含の条件下及び／または低減された腐食性条件とともに、より低い温度及びｐＨ条件での使用に好適であり、かかるラベル、合成糊及び／または接着剤を表面から約３０分未満で効果的に除去する。【選択図】図１Ｂ
2020179940.tif 000002
【特許請求の範囲】
【請求項１】
表面から汚れ、ラベル、及び他の接着剤材料を除去するための方法であって、前記方法は、
接着剤材料を除去する必要のある表面へラベル除去組成物を適用することであって、前記ラベル除去組成物が、水性または非水性の塩基性有機溶剤及び／またはアミジン溶剤、界面活性剤を含み、前記組成物は水酸化ナトリウムを含まない、ことと、
前記表面から前記汚れ、ラベル、及び他の接着剤材料を約６０分未満の時間内で除去することと、を含み、
前記ラベル除去組成物の温度が、約８０℃未満であり、
前記ラベル除去組成物のｐＨが、約１０〜約１４である、方法。
【請求項２】
前記ラベル除去組成物のｐＨが、約１２〜約１４である、請求項１に記載の方法。
【請求項３】
前記ラベル除去組成物の温度が、約５０℃〜約６０℃である、請求項１又は２に記載の方法。
【請求項４】
前記ラベル除去組成物の温度が、約５０℃〜約６０℃であり、約３０分未満の時間内で前記汚れ、ラベル、及び他の接着剤材料を除去する、請求項１〜３のいずれか一項に記載の方法。
【請求項５】
前記水性塩基性有機溶媒及び／またはアミジン溶媒が、前記ラベル除去組成物の約７０重量％未満の量で水をさらに含む、請求項１〜４のいずれか一項に記載の方法。
【請求項６】
前記アミジン溶媒が、以下の構造を有する、１，８−ジアザビシクロ［５．４．０］ウンデカ−７−エンを含む、請求項１〜５のいずれか一項に記載の方法。
【化１】
2020179940.tif 000017
【請求項７】
前記水性または非水性の塩基性有機溶媒が、アミン及び／またはアミド溶媒を含む、請求項１〜６のいずれか一項に記載の方法。
【請求項８】
前記溶媒が、脂肪族ジアルキルアミド、脂肪族アミドアミン、及び／または脂肪族エステルアミンである、請求項７に記載の方法。
【請求項９】
前記溶媒が、一般的構造：
Ｒ１−ＣＯ−Ｘｍ−Ａｎ−ＮＲ２Ｒ３
を有し、式中、Ｒ１が、直鎖状または分岐鎖状の、飽和または不飽和であるＣ９〜Ｃ１６鎖であり、ＸがＯまたはＮＨであり、ＡがＣ２〜Ｃ８アルキレンであり、ｍが０または１であり、ｎが０または１であり、Ｒ２及びＲ３が同じかまたは異なるＣ１〜Ｃ６アルキルである、請求項８に記載の方法。
【請求項１０】
前記界面活性剤が、アニオン性界面活性剤及び／または非イオン性界面活性剤であり、任意選択的に１つ又は複数の任意の更なる機能成分をさらに含む、請求項１〜９のいずれか一項に記載の方法。
【請求項１１】
前記ラベル除去組成物が、前記表面に対する洗浄性能を全く損なうことなく、及び／または洗浄システム内にパルプ化または他の残留物を全く生じることなく、天然及び／または合成接着剤を含む前記接着剤材料、ならびに金属ラベルを含む前記ラベルを、実質的にまたは完全に除去する、請求項１〜１０のいずれか一項に記載の方法。
【請求項１２】
前記組成物のｐＨが、約１２〜約１４であり、約０．１重量％〜約１５重量％の量の水性塩基性有機溶媒と、約１０重量％〜約７０重量％の量の水と、約５重量％〜約２０重量％の量のアミジン溶媒と、約５重量％〜約４０重量％の量の少なくとも１つの界面活性剤と、を含む、請求項１〜１１のいずれか一項に記載の方法。
【請求項１３】
前記組成物のｐＨが、約１２〜約１４であり、約１０重量％〜約５０重量％の量の非水性塩基性有機溶媒と、約４０重量％〜約７０重量％の量のアミジン溶媒と、約５重量％〜約２５重量％の量の少なくとも１つの界面活性剤と、を含む、請求項１〜１１のいずれか一項に記載の方法。
【請求項１４】
硬質表面から汚れ、ラベル、及び他の接着剤材料を除去するための組成物であって、前記組成物は、
水性または非水性の塩基性有機溶媒及び／またはアミジン溶媒と、
少なくとも１つの界面活性剤と、を含み、
前記組成物が、水酸化ナトリウムを含まず、
前記組成物のｐＨが、約１０〜約１４である、組成物。
【請求項１５】
前記組成物のｐＨが、約１２〜約１４である、請求項１４に記載の組成物。
【請求項１６】
前記アミジン溶剤が、以下の構造を有する、１，８−ジアザビシクロ［５．４．０］ウンデカ−７−エンを含む、請求項１４又は１５に記載の組成物。
【化２】
2020179940.tif 000018
【請求項１７】
前記水性または非水性の塩基性有機溶剤が、アミン及び／またはアミド溶剤を含む、請求項１４〜１６のいずれか一項に記載の組成物。
【請求項１８】
前記溶剤が、脂肪族ジアルキルアミド、脂肪族アミドアミン、及び／または脂肪族エステルアミンである、請求項１７に記載の組成物。
【請求項１９】
前記溶剤が、一般的構造：
Ｒ１−ＣＯ−Ｘｍ−Ａｎ−ＮＲ２Ｒ３
を有し、式中、Ｒ１が、直鎖状または分岐鎖状の、飽和または不飽和であるＣ９〜Ｃ１６鎖であり、ＸがＯまたはＮＨであり、ＡがＣ２〜Ｃ８アルキレンであり、ｍが０または１であり、ｎが０または１であり、Ｒ２及びＲ３が同じかまたは異なるＣ１〜Ｃ６アルキルである、請求項１８に記載の組成物。
【請求項２０】
前記界面活性剤が、アニオン性界面活性剤及び／または非イオン性界面活性剤である、請求項１４〜１９のいずれか一項に記載の組成物。
【請求項２１】
前記界面活性剤が、アルキルスルホネート、及び／またはアルコキシル化界面活性剤を含む、請求項２０に記載の組成物。
【請求項２２】
消泡剤、湿潤剤、すすぎ補助剤、触媒、腐食防止剤、及びそれらの組み合わせからなる群から選択された、少なくとも１つの瓶洗浄添加剤をさらに含む、請求項１４〜２１のいずれか一項に記載の組成物。
【請求項２３】
前記組成物のｐＨが、約１２〜約１４であり、約０．１重量％〜約１５重量％の量の水性塩基性有機溶媒と、約１０重量％〜約７０重量％の量の水と、約５重量％〜約２０重量％の量のアミジン溶媒と、約５重量％〜約４０重量％の量の少なくとも１つの界面活性剤と、を含む、請求項１４〜２２のいずれか一項に記載の組成物。
【請求項２４】
前記組成物のｐＨが、約１２〜約１４であり、約１０重量％〜約５０重量％の量の非水性塩基性有機溶媒と、約４０重量％〜約７０重量％の量のアミジン溶媒と、約５重量％〜約２５重量％の量の少なくとも１つの界面活性剤と、を含む、請求項１４〜２２のいずれか一項に記載の組成物。
【請求項２５】
前記水性塩基性有機溶媒及び／またはアミジン溶媒が、前記組成物の約７０重量％未満の量で水をさらに含む、請求項１４〜２２のいずれか一項に記載の組成物。
【請求項２６】
ヒドロトロープをさらに含む、請求項１４〜２５のいずれか一項に記載の組成物。
【請求項２７】
前記ヒドロトロープが、芳香族スルホネート材料である、請求項２６に記載の組成物。
【請求項２８】
表面から汚れ、ラベル、及び他の接着剤材料を除去するための方法であって、前記方法は、
接着剤材料を除去する必要のある表面へラベル除去組成物を適用することであって、前記ラベル除去組成物が、水性または非水性塩基性有機溶媒及び／またはアミジン溶媒、界面活性剤を含み、前記組成物が約０重量％〜約２重量％の量の腐食剤を含有する、組成物を適用することと、
約６０分未満の時間内で前記表面から前記汚れ、ラベル、及び他の接着剤材料を除去することと、を含み、
前記ラベル除去組成物の温度が、約８０℃未満であり、
前記ラベル除去組成物のｐＨが、約１０〜約１４である、方法。
【請求項２９】
前記ラベル除去組成物のｐＨが、約１２〜約１４である、請求項２８に記載の方法。
【請求項３０】
前記ラベル除去組成物の温度が、約５０℃〜約６０℃である、請求項２８又は２９に記載の方法。
【請求項３１】
前記ラベル除去組成物の温度が、約５０℃〜約６０℃であり、約３０分未満の時間内で前記汚れ、ラベル、及び他の接着剤材料を除去する、請求項２８〜３０のいずれか一項に記載の方法。
【請求項３２】
前記水性塩基性有機溶媒及び／またはアミジン溶媒が、前記ラベル除去組成物の約７０重量％未満の量で水をさらに含む、請求項２８〜３１のいずれか一項に記載の方法。
【請求項３３】
前記アミジン溶媒が、以下の構造を有する、１，８−ジアザビシクロ［５．４．０］ウンデカ−７−エンを含む、請求項２８〜３２のいずれか一項に記載の方法。
【化３】
2020179940.tif 000019
【請求項３４】
前記水性または非水性塩基性有機溶媒が、アミン及び／またはアミド溶媒を含む、請求項２８〜３３のいずれか一項に記載の方法。
【請求項３５】
前記溶媒が、脂肪族ジアルキルアミド、脂肪族アミドアミン、及び／または脂肪族エステルアミンである、請求項３４に記載の方法。
【請求項３６】
前記溶媒が、一般的構造：
Ｒ１−ＣＯ−Ｘｍ−Ａｎ−ＮＲ２Ｒ３
を有し、式中、Ｒ１が、直鎖状または分岐鎖状の、飽和または不飽和であるＣ９〜Ｃ１６鎖であり、ＸがＯまたはＮＨであり、ＡがＣ２〜Ｃ８アルキレンであり、ｍが０または１であり、ｎが０または１であり、Ｒ２及びＲ３が同じかまたは異なるＣ１〜Ｃ６アルキルである、請求項３５に記載の方法。
【請求項３７】
前記界面活性剤が、アニオン性界面活性剤及び／または非イオン性界面活性剤であり、任意選択的に１つ又は複数の任意の更なる機能成分をさらに含む、請求項２８〜３６のいずれか一項に記載の方法。
【請求項３８】
前記ラベル除去組成物が、前記表面への洗浄性能を全く損なうことなく、及び／または洗浄システム内にパルピングまたは他の残留物を全く生じることなく、天然及び／または合成接着剤を含む前記接着剤材料、ならびに金属ラベルを含む前記ラベルを、実質的にまたは完全に除去する、請求項２８〜３７のいずれか一項に記載の方法。
【請求項３９】
前記組成物のｐＨが、約１２〜約１４であり、約０．１重量％〜約１５重量％の量の水性塩基性有機溶媒と、約１０重量％〜約７０重量％の量の水と、約５重量％〜約２０重量％の量のアミジン溶媒と、約５重量％〜約４０重量％の量の少なくとも１つの界面活性剤と、を含む、請求項２８〜３８のいずれか一項に記載の方法。
【請求項４０】
前記組成物のｐＨが、約１２〜約１４であり、約１０重量％〜約５０重量％の量の非水性塩基性有機溶媒と、約４０重量％〜約７０重量％の量のアミジン溶媒と、約５重量％〜約２５重量％の量の少なくとも１つの界面活性剤と、を含む、請求項２８〜３８のいずれか一項に記載の方法。
【請求項４１】
硬質な表面から汚れ、ラベル、及び他の接着剤材料を除去するための組成物であって、前記組成物は、
水性または非水性塩基性有機溶媒及び／またはアミジン溶媒と、
少なくとも１つの界面活性剤と、を含み、
前記組成物が、約０重量％〜約２重量％の量の腐食剤を含有し、
前記組成物のｐＨが、約１０〜約１４である、組成物。
【請求項４２】
前記組成物のｐＨが、約１２〜約１４である、請求項４１に記載の組成物。
【請求項４３】
前記アミジン溶媒が、以下の構造を有する、１，８−ジアザビシクロ［５．４．０］ウンデカ−７−エンを含む、請求項４１又は４２に記載の組成物。
【化４】
2020179940.tif 000020
【請求項４４】
前記水性または非水性塩基性有機溶媒が、アミン及び／またはアミド溶媒を含む、請求項４１〜４３のいずれか一項に記載の組成物。
【請求項４５】
前記溶媒が、脂肪族ジアルキルアミド、脂肪族アミドアミン、及び／または脂肪族エステルアミンである、請求項４４に記載の組成物。
【請求項４６】
前記溶媒が、一般的構造：
Ｒ１−ＣＯ−Ｘｍ−Ａｎ−ＮＲ２Ｒ３
を有し、式中、Ｒ１が、直鎖状または分岐鎖状の、飽和または不飽和であるＣ９〜Ｃ１６鎖であり、ＸがＯまたはＮＨであり、ＡがＣ２〜Ｃ８アルキレンであり、ｍが０または１であり、ｎが０または１であり、Ｒ２及びＲ３が同じかまたは異なるＣ１〜Ｃ６アルキルである、請求項４５に記載の組成物。
【請求項４７】
前記界面活性剤が、アニオン性界面活性剤及び／または非イオン性界面活性剤である、請求項４１〜４６のいずれか一項に記載の組成物。
【請求項４８】
前記界面活性剤が、アルキルスルホネート、及び／またはアルコキシル化界面活性剤を含む、請求項４７に記載の組成物。
【請求項４９】
消泡剤、湿潤剤、すすぎ補助剤、触媒、腐食防止剤、及びそれらの組み合わせからなる群から選択された、少なくとも１つの瓶洗浄添加剤をさらに含む、請求項４１〜４８のいずれか一項に記載の組成物。
【請求項５０】
前記組成物のｐＨが、約１２〜約１４であり、約０．１重量％〜約１５重量％の量の水性塩基性有機溶媒と、約１０重量％〜約７０重量％の量の水と、約５重量％〜約２０重量％の量のアミジン溶媒と、約５重量％〜約４０重量％の量の少なくとも１つの界面活性剤と、を含む、請求項４１〜４９のいずれか一項に記載の組成物。
【請求項５１】
前記組成物のｐＨが、約１２〜約１４であり、約１０重量％〜約５０重量％の量の非水性塩基性有機溶媒と、約４０重量％〜約７０重量％の量のアミジン溶媒と、約５重量％〜約２５重量％の量の少なくとも１つの界面活性剤と、を含む、請求項４１〜４９のいずれか一項に記載の組成物。
【請求項５２】
前記水性塩基性有機溶媒及び／またはアミジン溶媒が、前記組成物の約７０重量％未満の量で水をさらに含む、請求項４１〜４９のいずれか一項に記載の組成物。
【請求項５３】
ヒドロトロープをさらに含む、請求項４１〜５２のいずれか一項に記載の組成物。
【請求項５４】
前記ヒドロトロープが、芳香族スルホネート材料である、請求項５３に記載の組成物。
【発明の詳細な説明】
【技術分野】
【０００１】
関連出願の相互参照
本出願は、２０１６年２月１８日出願の米国特許仮出願第６２／２９６，９６８号、及び２０１６年１１月３０日出願の同第６２／４２８，２６２号に対する優先権を主張し、これに関連するものである。本特許出願の、明細書、特許請求の範囲、及び要約、ならびにその任意の図、表または図面を含む全内容は、限定されることなく、参照により本明細書に組み込まれる。
【０００２】
本発明は、接着剤系ラベルを用いる飲料及び食品業界で使用されている回収可能な瓶及び同様の容器等の首の箔ラベル及び表面からの接着剤残留物の除去に有用な組成物及び方法に関する。本方法及び組成物は、かかるラベル及び接着剤残留物を表面から除去するために、すなわち、除去のための高腐食性組成物、高温条件及び／または機械または手動での撹拌を必要とせず、約３０分未満の実質的に短い時間を必要とする。一態様では、ラベル除去組成物は、水性または非水性の塩基性有機溶剤及び／または湿潤剤と組み合わせたアミジン溶剤を含む。一態様では、本発明の方法は、ラベルを破損することなく除去する。
【背景技術】
【０００３】
ボトリング業界での経済的効果において、物品の消費者使用後、回収された瓶の再使用、再利用、再洗浄及び再充填は、当該産業界で一般的に実践されている。合成糊または接着剤は、瓶を含む表面へのラベル及び他の物品の添着に一般的に使用されている。合成糊及び接着剤の例示的な開示は、米国特許第６，８０３，０８５号に提供されており、その全体が参照により本明細書に組み込まれる。洗浄、消毒及び再使用に先立ち、瓶を洗浄して汚れを完全に除去し、ならびに表面上に残されたラベル及び残存する接着剤残留物を除去することが望ましい。残念ながら、合成糊を含む様々な接着剤は、ガラス瓶等の表面から除去することが困難な場合があり、不完全な除去は、物品の再使用に困難を与える。加えて、従来の除去方法は、部分的にのみラベルを除去する、及び／またはラベルを破損し得（例えば、部分的なラベルの劣化等）、洗浄溶液中への研磨剤の添加を生じる。
【０００４】
瓶洗浄作業に伴い、瓶洗浄添加剤とアルカリ性洗剤組成物が、回収された瓶の洗浄に使用され得ることが知られている。数々の従来の水性系瓶洗浄組成物は、腐食剤、アルコール、非イオン性界面活性剤、及び／または他の添加剤を含有する。瓶洗浄作業の例示的な開示は、１９５７年８月１日出願米国特許第２，９７６，２４８号、発明の名称「Ｂｏｔｔｌｅ  Ｗａｓｈｉｎｇ  Ｃｏｍｐｏｓｉｔｉｏｎ  ａｎｄ  Ｍｅｔｈｏｄ」及び２０００年１月２５日出願米国特許第６，５３０，３８６号、発明の名称「Ｍｅｔｈｏｄ  ｏｆ  Ｃｌｅａｎｉｎｇ  Ｒｅｔｕｒｎａｂｌｅ  Ｂｏｔｔｌｅｓ」を含む。しかしながら、かかる添加剤及び洗剤は、多くの場合接着剤除去が不完全であり、表面上に残留物または堆積物を残し、商業的に望ましくない結果を与える。加えて、市販の瓶洗浄添加剤は、多くの場合完全に残留物を除去するために繰り返しの使用を必要とするか、過酷な洗浄条件を利用するか、及び／または大量の洗浄溶液または濃縮物を必要とし、これらのすべては瓶洗浄にかかる時間及び費用を増加する。
【０００５】
ボトリング業界の実践におけるこれらの制限は、さらに箔（またはアルミニウムタイプの）ラベルの除去を複雑にし、最も過酷な腐食剤系ラベル除去組成物でさえラベル除去への効果は少ない。かかる金属ラベルは、多くの場合瓶の首に形成されるかまたは接着され、ボトル洗浄用途においてラベル除去組成物がラベル及び／または接着剤の完全な除去ができない場合に必要とされる、さらなる手作業による労働を含む、接着剤の除去にさらなる困難を与える。
【発明の概要】
【発明が解決しようとする課題】
【０００６】
したがって、金属瓶ラベル、糊及び接着剤の完全な除去を提供する、本発明に従った洗浄溶液及び方法を提供することが望ましい。かかる接着剤及び他の物質を除去するための洗浄組成物及び方法の設計は、困難な課題である。
【０００７】
したがって、回収可能なガラス瓶上の金属ラベル及び接着剤残留物等の様々なタイプの接着剤及び他の残留物を表面から完全に除去するための方法を構築することが、特許請求される本発明の目的である。
【０００８】
本発明のさらなる目的は、最も困難なアルミニウムラベルをガラス瓶から除去することを含む、様々なラベルの除去のための新規のラベル除去組成物である。
【０００９】
本発明のさらなる目的はまた、周辺温度または室温を含む低減された温度で粘着ラベル及び残留物を除去するための方法を構築することである。
【００１０】
本発明のさらなる目的はまた、腐食剤不含のラベル除去組成物の使用を含む、低減された腐食性レベルで、すなわち、約０重量％〜約２重量％の量で、粘着ラベル及び残留物を除去する方法を構築することである。
【００１１】
本発明のさらなる目的はまた、約３０分未満、及び好ましくは約１５分未満の期間で、粘着ラベル及び残留物を除去するための方法を構築することである。
【００１２】
本発明のさらなる目的はまた、ラベルを破損することなく、及び／またはパルプ化を生じることなく、粘着ラベルを除去するための方法を構築することである。本発明のこれらの及び他の目的は、発明の説明に明示されている。本発明の他の目的、利点及び特徴は、添付の図面と関連する以下の説明から明らかになるであろう。
【課題を解決するための手段】
【００１３】
本方法及び組成物は、ガラス瓶等の瓶から接着剤材料を完全に除去するための、水性または非水性の塩基性有機溶媒、及び／または湿潤剤と組み合わせたアミジン溶媒を含むが提供される。本方法及び組成物は、より低い温度で腐食剤不含の、及び／または低減された腐食性条件を可能にする、好ましい溶剤系を使用して、ラベル及び接着剤残留物を除去する。本発明の利点は、金属ラベルを含むボトル上の接着剤残留物の完全な除去であり、約６０分未満、約３０分未満、及び好ましくは約１５分未満の短縮された時間で達成される、便利で費用対効果の高い除去を提供する。本発明は、下層にある接着剤残留物と瓶ラベルの両方を完全に除去することにより、市販のラベル除去組成物及び方法を超える利点を提供する。
【００１４】
一実施形態では、本発明は、表面から汚れ、ラベル、及び他の接着剤材料を除去するための方法であって、接着剤材料を除去する必要のある表面へラベル除去組成物を適用することであって、ラベル除去組成物が、水性または非水性の塩基性有機溶剤及び／またはアミジン溶剤、界面活性剤を含み、組成物がさらに、約０重量％〜約２重量％の量の腐食剤を含む、組成物を適用することと、約６０分未満の時間内で表面から汚れ、ラベル、及び他の接着剤材料を除去することであって、ラベル除去組成物の温度が、約８０℃未満であり、ラベル除去組成物のｐＨが約１０〜約１４である、除去することと、を含む方法である。
【００１５】
一実施形態では、本発明は、硬質表面から汚れ、ラベル、及び他の接着剤材料を除去するための組成物であって、水性または非水性の塩基性有機溶剤及び／またはアミジン溶剤と、少なくとも１つの界面活性剤と、を含み、組成物がさらに約０重量％〜約２重量％の量の腐食剤を含み、組成物が約１０〜約１４のｐＨを有する、組成物である。
【００１６】
本明細書において複数の実施形態が開示されるが、本発明の例示的実施形態を示し説明する、以下の「発明を実施するための形態」から、本発明の他の実施形態も、当業者に明らかになるであろう。したがって、図面及び詳細な説明は、本質的に例証的であり、限定的であると見なされるべきではない。
【図面の簡単な説明】
【００１７】
本特許または出願書類は、少なくとも１つのカラー印刷された図面を含む。カラー図面を備える、本特許または特許出願公開の複製は、要請に応じて、必要な手数料を支払うことにより、特許庁によって提供されるであろう。
【００１８】
本特許または出願書類は、少なくとも１つのカラー印刷された図面または写真を含む。カラー図面を備える、本特許または特許出願公開の複製は、要請に応じて、必要な手数料を支払うことにより、特許庁によって提供されるであろう。
【００１９】
【図１Ａ】本発明の実施形態に従った中性塩基を含有する４つの実験的配合を用いた処理前（中央）及び処理後のＣＲＩＳＴＡＬのビール瓶を示す。
【００２０】
【図１Ｂ】本発明の実施形態に従った実験的配合３１−５を用いて処理されたＨｅｉｎｅｋｅｎのビール瓶ラベルを示す。
【００２１】
【図１Ｃ】本発明の実施形態に従った、左から右へそれぞれ実験的配合３１−１〜３１−３及び３１−５を用いたＣＲＩＳＴＡＬ及びＨｅｉｎｅｋｅｎのビール瓶ラベルの評価後の溶液を示す。
【００２２】
【図２Ａ】本発明の実施形態に従った実験的配合４２−１及び４２−２に浸漬前（図２Ａ）のＢｅｃｋ’ｓのビール瓶を示す。
【図２Ｂ】本発明の実施形態に従った実験的配合４２−１及び４２−２に浸漬中（図２Ｂ）のＢｅｃｋ’ｓのビール瓶を示す。
【図２Ｃ】本発明の実施形態に従った実験的配合４２−１及び４２−２に浸漬後（図２Ｃ）のＢｅｃｋ’ｓのビール瓶を示す。
【００２３】
【図３Ａ】本発明の実施形態に従った実験的配合４２−１及び４２−２に浸漬前（図３Ａ）のＢｒａｈｖａの瓶を示す。
【図３Ｂ】本発明の実施形態に従った実験的配合４２−１及び４２−２に浸漬中（図３Ｂ）のＢｒａｈｖａの瓶を示す。
【図３Ｃ】本発明の実施形態に従った実験的配合４２−１及び４２−２に浸漬後（図３Ｃ）のＢｒａｈｖａの瓶を示す。
【００２４】
【図４Ａ】本発明の実施形態に従った実験的配合４２−１に浸漬前（図４Ａ）のＣｏｏｒｓライトのビール瓶を示す。
【図４Ｂ】本発明の実施形態に従った実験的配合４２−１に浸漬中（図４Ｂ）のＣｏｏｒｓライトのビール瓶を示す。
【図４Ｃ】本発明の実施形態に従った実験的配合４２−１に浸浸漬後（図４Ｃ）のＣｏｏｒｓライトのビール瓶を示す。
【図４Ｄ】本発明の実施形態に従った実験的配合４２−１に浸漬後（図４Ｄ）のＣｏｏｒｓライトのビール瓶を示す。
【００２５】
【図５Ａ】実験的配合４２−２に浸漬前及び浸漬後の（それぞれ左及び右）瓶の比較を示す。
【００２６】
【図５Ｂ】実施例２に記述され、本発明の実施形態に従った箔ラベル除去実験後の実験的配合４２−２のクローズアップ図を示す。
【００２７】
【図６Ａ】本発明の実施形態に従った、実験的配合３８−１〜３８−４を用いた首の箔除去実験前（図６Ａ）を示す。
【図６Ｂ】本発明の実施形態に従った、実験的配合３８−１〜３８−４を用いた首の箔除去実験後（図６Ｂ）を示す。
【００２８】
【図７Ａ】本発明の実施形態に従った、実験的配合４９−１〜４９−２に浸漬後のＢｅｃｋ’ｓのビール瓶を示す。
【図７Ｂ】本発明の実施形態に従った、実験的配合４９−１〜４９−２に浸漬後のＢｅｃｋ’ｓのビール瓶を示す。
【００２９】
【図８】本発明の実施形態に従った、実験的配合５０−１〜５０−６に浸漬前の瓶を示す。
【００３０】
【図９】本発明の実施形態に従った、実験的配合５０−１〜５０−６に浸漬後の瓶を示す。
【００３１】
本発明の様々な実施形態は、いくつかの図全体を通して同様の参照番号が同様の部分に相当し、図面を参照し、詳細に記載されるであろう。様々な実施形態への言及は、本発明の範囲を限定しない。本明細書において示される図は、本発明による様々な実施形態の限定ではなく、本発明の例示的説明のために示される。
【発明を実施するための形態】
【００３２】
本発明は、ガラス瓶等の瓶から接着剤材料を完全に除去するための方法及び組成物に関する。本発明の組成物及び方法は、粘着ラベルを除去するために使用される従来の瓶洗浄組成物を上回る多くの利点を有する。例えば、本方法は、より低い温度、より少ない時間、及び／またはより低い腐食性条件を使用しながら、粘着ラベルの実質的に完全な及び／または完全な除去を達成する。一態様では、組成物及び方法は、約３０分未満、及び好ましくは約１５分未満で、約６０℃未満、及び好ましくは約５０℃〜約６０℃の温度で、ならびに非腐食性及び／またはｐＨ約１２〜約１４を含む低減された腐食性アルカリ溶液中での、粘着ラベルの除去を提供する。本発明の利点は、瓶上の接着剤残留物の完全な除去であり、便利で費用対効果の高い除去を提供する。本発明は、瓶ラベルの両方を完全に除去することにより、市販のラベル除去組成物及び方法を超える利点を提供する。
【００３３】
本発明の実施形態は、合成糊残留物を含む残留物を瓶表面から除去するための特定の組成物または方法を限定するものではなく、変更し得ることが当業者により理解される。本明細書で使用される全ての用語は、特定の実施形態を記載する目的でのみ使用され、いかなる様式または範囲を限定する意図ではないことがさらに理解される。例えば、本明細書及び添付の特許請求の範囲において使用される場合、単数形「ａ」、「ａｎ」、及び「ｔｈｅ」は、内容が別段明らかに示されない限り、複数形の指示対象を含み得る。さらに、全ての単位、接頭辞、及び記号は、ＳＩ認証の形式で表され得る。本明細書内に記載される数値範囲は、範囲を定義する数字を含み、定義された範囲内の各整数を含む。
【００３４】
本発明をより容易に理解し得るように、特定の用語をまず定義する。別段定義されない限り、本明細書で使用される全ての技術及び科学用語は、本発明の実施形態が関連する技術分野の当業者によって一般に理解されるものと同じ意味を有する。本明細書に記載されるものと類似しているか、それを修正したか、またはそれと同等である多くの方法及び材料が、過度の実験を伴うことなく本発明の実施形態の実践に使用され得、好ましい材料及び方法が、本明細書に記載される。本発明の実施形態を説明及び請求する上で、以下に記載される定義に従って以下の専門用語が使用される。
【００３５】
用語「約」は、本明細書において使用される場合、例えば現実世界において濃縮物または使用溶液の作製に使用される典型的な測定及び液体取扱い手順；それらの手順における不慮の誤差；組成物の作製または方法の実行に使用される構成成分の製造、供給源または純度の違い等によって生じ得る、数量のばらつきを指す。「約」という用語はまた、特定の初期混合物から得られる組成物に関する異なる平衡条件によって異なる量も包含する。用語「約」により修飾されるか否かにかかわらず、特許請求の範囲は、その量の当量を含む。
【００３６】
用語「活性物質」または「パーセント活性物質」または「重量パーセント活性物質」または「活性物質濃度」は、本明細書では同じ意味で使用され、パーセンテージとして表現される、洗浄に関連するそれらの成分から水または塩等の不活性成分を引いた濃度を指す。
【００３７】
用語「接着剤」、「接着剤残留物」、「糊」、及びそれらの変形形態は、本明細書において使用される場合、表面、つまり、例えば瓶表面へ接着される金属ラベルを含むラベルを有するガラス瓶等のガラス表面へ物質を接着するために使用される任意の合成接着剤または糊を指す。本発明によると、接着剤の例としては、ポリアクリル酸接着剤、またはポリカルボン酸塩の任意のポリマー等が挙げられる。
【００３８】
用語「アルキル」は、特定数の炭素原子を有する直鎖または分枝鎖の一価の炭化水素ラジカルを指す。アルキル基は、非置換、または組成物の特定の機能に干渉しない置換基で置換されてもよく、同じまたは異なる基で１回または２回置換されてもよい。置換基の例としては、例えば、アルコキシ、ヒドロキシ、メルカプト、アミノ、アルキル置換アミノ、ニトロ、カルボキシ、カルバノイル、カルバノイルオキシ、シアノ、メチルスルホニルアミノ、またはハロゲン等が挙げられる。「アルキル」の例としては、限定されないが、メチル、エチル、ｎ−プロピル、イソプロピル、ｎ−ブチル、ｓ−ブチル、ｔ−ブチル、ｎ−ペンチル、ｎ−ヘキシル、３−メチルペンチル等が挙げられる。
【００３９】
用語「アルコキシ」は、特定数の炭素原子、及び炭素−酸素−炭素結合を有する直鎖または分岐鎖の一価の炭化水素ラジカルを指し、非置換、または組成物の特定の機能に干渉しない置換基で置換されてもよく、同じまたは異なる基で１回または２回置換されてもよい。置換基の例としては、例えば、アルコキシ、ヒドロキシ、メルカプト、アミノ、アルキル置換アミノ、ニトロ、カルボキシ、カルバノイル、カルバノイルオキシ、シアノ、メチルスルホニルアミノ、またはハロゲン等が挙げられる。例としては、メトキシ、エトキシ、プロポキシ、ｔ−ブトキシ等が挙げられる。
【００４０】
語句「適用されたカラーデザイン」は、本明細書において使用される場合、例えば瓶等の物品が回収、使用及び／または再使用される間恒久的であることを意図する様式で適用される、設計、装飾、装飾的要素、またはラベルを指す。適用されたカラーデザインの１つのタイプは、本明細書では「適用されたセラミックラベル」（ＡＣＬ）と称される。適用されたセラミックラベルは、瓶等の物品が回収、使用、及び／または再使用される間恒久的であることを意図する様式で適用されるラベルである。
【００４１】
用語「不含」または「実質的に不含」は、本明細書において使用される場合、その成分が完全に欠落した組成物、またはその成分が組成物の性能に影響しないような少量の成分を有する組成物を指す。その成分は、不純物として、または汚染物質として存在し得、０．５重量％未満であろう。別の実施形態では、その成分の量は０．１重量％未満であり、また別の実施形態では、その成分の量は０．０１重量％未満である。本発明の一実施形態では、ラベル除去組成物は、腐食剤及び成分（例えば、アルカリ源）を含有する他の腐食剤を実質的に不含であり、好ましくは、ラベル除去組成物は腐食剤及びその成分を含有する他の腐食剤を不含である。
【００４２】
用語「実質的に同様の洗浄性能」は、概して洗浄力の同じ度合（または少なくとも顕著に劣る度合いではない）、または概して同じ労力の消費（または少なくとも顕著に劣る消費ではない）を用いる代用洗浄製品または代用洗浄系により概して達成されることを指す。
【００４３】
用語「重量パーセント」（ｗｅｉｇｈｔ  ｐｅｒｃｅｎｔ，）、「重量％」（ｗｔ−％）、「重量パーセント」（ｐｅｒｃｅｎｔ  ｂｙ  ｗｅｉｇｈｔ）、「重量％」（％  ｂｙ  ｗｅｉｇｈｔ）、及びその変形形態は、本明細書において使用される場合、その物質の重量を組成物の総重量で割り、１００を乗算した物質の濃度を指す。本明細書で使用される際、「パーセント」、「％」等は、「重量パーセント」「重量％」等と同意であることを意図すると理解される。
【００４４】
本発明の方法及び組成物は、本明細書の成分（ｃｏｍｐｏｎｅｎｔｓ）及び成分（ｉｎｇｒｅｄｉｅｎｔｓ）（または方法ステップ）、ならびに本明細書に記載の他の成分（ｃｏｍｐｏｎｅｎｔｓ）及び成分（ｉｎｇｒｅｄｉｅｎｔｓ）（または方法ステップ）を含み得る、それから基本的になり得る、またはそれからなり得る。「基本的になる」とは、本明細書において使用される場合、方法及び組成物は、さらなるステップ、成分（ｃｏｍｐｏｎｅｎｔｓ）または成分（ｉｎｇｒｅｄｉｅｎｔｓ）を含み得るが、さらなるステップ、成分（ｃｏｍｐｏｎｅｎｔｓ）又は成分（ｉｎｇｒｅｄｉｅｎｔｓ）が、特許請求の方法及び組成物の基本的かつ新規の特徴を物質的に変化させない場合に限る。
【００４５】
メカニズムの理解が本発明の実践に必要ではなく、本発明がその作用の任意特定のメカニズムを限定しないながらも、いくつかの実施形態では、本発明の組成物及びそれを使用する方法は、市販の瓶洗浄添加剤及び洗浄方法を上回る顕著な利点を提供する。本発明によると、下層にある添加剤残留物と瓶ラベル（例えば金属及び他の材料）の両方は、全体的な瓶洗浄性能を妥協することなく、及び／またはラベル除去システムにいかなるパルプ化または他の残留物を生じることなく、完全に除去される。本発明に従った除去性能は、瓶から接着剤残留物を、つまりアルミニウムラベル等の金属ラベルを完全に除去することができない既存の市販の瓶洗浄添加剤の性能に勝る。その結果、本発明に従った組成物及び方法は、業界にとって、瓶、つまりガラス瓶の回収及び再使用を含む費用節約及び効率の顕著な利点に相当する。
【００４６】
本発明によると、組成物及び方法は、水性または非水性の塩基性有機溶剤及び／または湿潤剤と組み合わせたアミジン溶剤ならびに他の任意選択的なさらなる成分の使用を介して、合成糊及び／または接着剤の完全な除去を提供する。本発明に従ったラベル除去組成物は、より低い温度、非腐食性及び／または低減された腐食性濃度の使用、ならびに合成糊及び／または接着剤の除去に必要な時間の低減を可能にする。特定の理論に限定されることを意図しないが、本発明に従った組成物及び方法は、合成糊及び／または接着剤を可溶化するために合成糊及び／または接着剤に浸透することができる化学品を提供する。合成糊及び／または接着剤の浸透及び可溶化のステップは、無傷でラベルを完全に除去することを有益に可能にする。
【００４７】
一態様では、本発明に従った組成物及び方法は、アルカリ性ｐＨを有するラベル除去組成物を提供する。例えば、アルカリ性ｐＨは、約９〜約１４、好ましくは約１０〜約１４、より好ましくは、例えば、９〜１０、９〜１１、９〜１２、９〜１３、９〜１４、１０〜１１、１０〜１２、１０〜１３、１０〜１４、１１〜１２、１１〜１３、１１〜１４、１２〜１３〜、１２〜１４、または１３〜１４等、約１２〜約１４であり得る。
【００４８】
一態様では、本発明に従った組成物及び方法は、任意の好適な条件または温度下での使用に好適なラベル除去組成物を提供する。いくつかの実施形態では、ラベル除去組成物は、例えば、約３０℃〜３５℃、３５℃〜４０℃、４０℃〜４５℃、４５℃〜５０℃、５０℃〜５５℃、５５℃〜６０℃、またはその間の任意の範囲の、３０℃〜約６０℃、約３５℃〜約６０℃、約４０℃〜約６０℃、約４５℃〜約６０℃、約５０℃〜約６０℃、または約５５℃〜約６０℃の範囲の温度で、ラベル及び／または接着剤の除去が必要な（瓶等の）表面と接触するように構成される。
【００４９】
一態様では、本発明に従った組成物及び方法は、従来の低温ラベル除去組成物と比較して時間の量を低下することなく、有効なラベル除去を提供する。例えば、ラベル除去組成物は、例えば約３０分、２５分、２０分、１５分、１０分、または５分未満等の、約３０分未満、または好ましくは、約１５分未満での除去を提供する。一態様では、ラベル除去組成物は、例えば約２時間未満、１時間、６０分、５０分、４５分、４０分、３５分、３０分、２５分、２０分、１５分、１０分または５分未満等の、約２時間未満、または好ましくは、約６０分未満での除去を提供する。
【００５０】
ラベル除去組成物
本発明に従ったラベル除去組成物は、かかる表面上に存在し得る他の汚れとラベル及び／または接着剤の除去を含む、様々な瓶洗浄用途に特に好適である。ラベル除去組成物は、ラベル除去及び物品の洗浄のために必要な、化学組成物の全体的な費用を低減し、温度条件を低減し、腐食性条件及び／または機械的効果の使用を排除及び／または低減しながら、効率的かつ効果的なラベル除去を提供する。本発明に従ったラベル除去組成物は、水性または非水性の塩基性有機溶剤及び／またはアミジンを含み得るか、それらからなり得るか、及び／または基本的にそれらからなり得る。組成物はまた、キレート剤、酸味剤、さらなる溶剤、界面活性剤、及び／または本発明の明細書に記述される他の機能的成分を含み得る。
【００５１】
ラベル除去組成物の様々な実施形態は、表１（非水性溶剤系組成物）及び表２（水性溶剤系組成物）に示されている。
【表１】
2020179940.tif 000003
【表２】
2020179940.tif 000004
【００５２】
本発明の一態様では、溶剤（例えばアミジン）は、処理済みの表面から効果的にラベルを除去する手段を提供する。本発明の代替的な一態様では、単一溶剤（例えばアミジン）及び／または水と組み合わせた溶剤は、処理済みの表面から効果的にラベルを除去する手段を提供し得る。好ましい実施形態では、ラベル除去組成物はさらに、少なくとも１つの湿潤剤（好ましくは界面活性剤との組み合わせ）を含み、本明細書に記載のように、任意選択的にさらなる機能的成分のうちのいずれか１つ以上をさらに含む。
【００５３】
好ましい態様では、組成物は、約２．００重量％未満の、より好ましくは約１．５重量％未満の、さらにより好ましくは約０．５重量％未満の濃度の任意の強塩基（例えばＫＯＨ、ＮａＯＨ）または強アルカリである、本明細書で称される低減された腐食性濃度を有する。さらに好ましい態様では、組成物は、腐食剤不含であり、強塩基（例えばＫＯＨ、ＮａＯＨ）または強アルカリを組成物中に全く含まない。好ましい態様では、組成物が緩衝剤を必要としないため、組成物はアセテート不含である。さらなる態様では、組成物は、本明細書で用いられるラベル及び／または接着剤から硫化物の浸出及び／または除去のいずれかのために用いられないため、フッ化物成分を不含である。作用の特定のメカニズムに限定されることになく、本発明の組成物は、有機フッ化物等のフッ化物成分を含まない。
【００５４】
好ましい態様では、組成物は水溶液系である。好ましい態様では、組成物は水溶液に水を用いる。
【００５５】
溶剤
本発明に従った組成物は、溶剤を含む。溶剤または溶剤の組み合わせは、特定の接着剤除去特性を向上するため、本発明のラベル除去組成物に有用である。一態様では、好適な溶剤は、非水性または水性のアミジン溶剤を含み得る。好適な溶剤は、アミジン溶剤を含む、水性または非水性の塩基性有機溶剤を含む。一態様では、水は、本明細書に開示の水性または非水性の塩基性有機溶剤との組み合わせに使用され得る。いくつかの態様では、水は、ラベル除去組成物の希釈剤として含まれる。水は、脱イオン水、水道水、軟水、及びそれらの組み合わせを含む任意の源からの水を含み得る。
【００５６】
好ましい態様では、溶剤は有機分子である。さらなる好ましい態様では、溶剤は、ラベル除去のための様々な瓶洗浄組成物に従来用いられている水酸化ナトリウム溶剤と置き換えられる塩基性溶剤である。
【００５７】
アミジン溶剤
一態様では、アミジン溶剤は、ラベル除去組成物に含まれる。アミジン溶剤は、非求核性塩基である。好ましいアミジン溶剤は、１，８−ジアザビシクロ［５．４．０］ウンデカ−７−エンであり、または式（Ｃ９Ｈ１６Ｎ２）を有する２，３，４，６，７，８，９，１０−オクタヒドロピリミドール［１，２−ａ］アゼピン（またはＤＢＵ）とも称され得る。
【化１】
2020179940.tif 000005
アミジン溶剤の使用により、有益な硬質表面の洗浄、ならびにラベル及び／または接着剤の除去を提供する。本発明の作用及び／または理論の特定のメカニズムに限定されることなく、この化合物は、触媒、錯化配位子、及び／またはエポキシ｛用の硬化剤としての使用を含む有機化学における試薬としての使用のみが知られているため、アミド溶剤が、水性または非水性の塩基性有機溶剤との使用、及び硬質表面の洗浄に好適であろうことは予想外である。
【００５８】
エナミド溶剤
好適なアミド溶剤もまた、例えばエナミド溶剤を含む。例示的なアミドは、例えば、Ｎ，Ｎ−ジアルキルアミド、すなわち脂肪族Ｎ，Ｎ−ジアルキルアミドである。様々な脂肪族ジアルキルアミドは、非水性溶剤系脱脂剤等の洗浄組成物（米国特許公開第２０１１／０１９２４２１号に開示のような）に使用されてきた。本発明に従った用途に好適なアミド溶剤は、脂肪族ジアルキルアミド、脂肪族アミドアミン、及び／または脂肪族エステルアミンを含む。
【００５９】
好ましい態様では、ラベル除去組成物は、脂肪酸誘導体または脂肪族Ｎ，Ｎ−ジアルキルアミド、Ｎ，Ｎ−ジアルキルエステルアミン、Ｎ，Ｎ−ジアルキルアミドアミン、及び／またはそれらの組み合わせを含む。好ましい態様では、脂肪族溶剤は、以下の一般的構造を有する。
Ｒ１−ＣＯ−Ｘｍ−Ａｎ−ＮＲ２Ｒ３
式中、Ｒ１が、直鎖状または分岐鎖状の、飽和または不飽和であるＣ９〜Ｃ１６鎖であり、ＸがＯまたはＮＨであり、ＡがＣ２〜Ｃ８アルキレンであり、ｍが０または１であり、ｎが０または１であり、Ｒ２及びＲ３が同じかまたは異なるＣ１〜Ｃ６アルキルである。ｍ＝１の場合ｎ＝１であり、ｍ＝０の場合ｎ＝０である。Ｎ，Ｎ−ジアルキルアミドでは、ｍ＝ｎ＝０である。Ｎ，Ｎ−ジアルキルエステルアミンでは、ｍ＝ｎ＝１及びＸ＝０である。Ｎ，Ｎ−ジアルキルアミドアミンでは、ｍ＝ｎ＝１及びＸ＝ＮＨである。好適なアミド及びエナミド溶剤のさらなる開示は、米国特許公開第２０１５／００９８７４５号に開示されており、その全体が参照により本明細書に組み込まれる。
【００６０】
さらなる好ましい態様では、アミドは、以下の構造を有するｎ，ｎ−ジメチル９−デセンアミド（概してジメチルアミンエナミドと称される）である。
【化２】
2020179940.tif 000006
（Ｓｔｅｐａｎ  Ｃｏｍｐａｎｙより市販）
【００６１】
アミン溶剤
好適なアミン溶剤としては、例えば、一級、二級、及び／または三級アミンが挙げられる。一級、二級、及び／または三級アミンは、Ｃ１８アルキルまたはアルケニル鎖を有するモノアミン、エトキシ化アルキルアミン、アルコキシ化エチレンジアミン、１−（２−ヒドロキシエチル）−２−イミダゾリン、２−アルキル−１−（２−ヒドロキシエチル）−２−イミダゾリン等のイミダゾールを含む。さらなるアミンは、例えば、ｎ−アルキル（Ｃ１２〜Ｃ１８）ジメチルベンジルアンモニウムクロリド、ｎ−テトラデシルジメチルベンジルアンモニウムクロリド一水和物等のアルキルポリスルホネートアンモニウムクロリド界面活性剤、及びジメチル−１−ナフチルメチルアンモニウムクロリド等のナフチレン置換ポリスルホネートアンモニウムクロリド等のポリスルホネートアンモニウム塩を含み得る。アミンはさらに、少なくとも１つの窒素が結合した炭化水素基を担持するジアミンを含み得、これは、少なくとも１０個の炭素原子及び好ましくは１６〜２４個の炭素原子を有する飽和または不飽和の直鎖状または分岐鎖状アルキル基、または２４個までの炭素原子を含有するアリール、アラルキル、もしくはアルカリル基に相当し、任意選択的な他の窒素が結合した基が、任意選択的に置換されたアルキル基、アリール基、またはアラルキル基またはポリアルコキシ基により形成される。アミンはまた、モノエタノールアミン、ジエタノールアミン、またはトリエタノールアミン等のアミン塩を含み得る。アルカノールアミンはまた、ラベル除去組成物の他の成分と組み合わせて有用なアミンの範囲内に含まれる。アルカノールアミンの典型例としては、モノエタノールアミン、モノプロパノールアミン、ジエタノールアミン、ジプロパノールアミン、トリエタノールアミン、トリプロパノールアミン等が挙げられる。アミンはまた、アミノアルコールを含み得る。アミノアルコールの典型例としては、２−アミノ−２−メチル−１−プロパノール、２−アミノ−１−ブタノール、２−アミノ−２−メチル−１，３−プロパンジオール、２−アミノ−２−エチル−１，３−プロパンジオール、ヒドロキシメチルアミノメタン等が挙げられる。
【００６２】
Ｄ−リモネン溶剤
好適な溶剤は、生分解性の洗浄溶剤、ｄ−リモネン等のテルペン含有溶剤を含み得る。Ｄ−リモネンは、水相溶性ではないため、溶剤として、水性系ラベル除去組成物には望ましくない。しかしながら、本発明によると、ｄ−リモネンは、非水性溶剤系ラベル除去組成物に好適な溶剤である。
【００６３】
アルコール及びポリオール溶剤
好適な溶剤は、アルコールまたはポリオール等の有機溶剤、低級アルカノール、低級アルキルエーテル、グリコール、アリールグリコールエーテル、及び低級アルキルグリコールエーテル等の酸素添加された溶剤を含み得る。さらなる有用な溶剤の例としては、メタノール、エタノール、プロパノール、イソプロパノール、及びブタノール、イソブタノール、エチレングリコール、ジエチレングリコール、トリエチレングリコール、プロピレングリコール、ジプロピレングリコール、混合エチレンープロピレングリコールエーテル、エチレングリコールフェニルエーテル、及びプロピレングリコールフェニルエーテルを含む様々なアルコールが挙げられる。実質的に水溶性のグリコールエーテル溶剤は、プロピレングリコールメチルエーテル、プロピレングリコールプロピルエーテル、ジプロピレングリコールメチルエーテル、トリプロピレングリコールメチルエーテル、エチレングリコールブチルエーテル、ジエチレングリコールメチルエーテル、ジエチレングリコールブチルエーテル、エチレングリコールジメチルエーテル、エチレングリコールプロピルエーテル、ジエチレングリコールエチルエーテル、トリエチレングリコールメチルエーテル、トリエチレングリコールエチルエーテル、トリエチレングリコールブチルエーテル、及び他を含む。「実質的に水溶性の」溶剤とは、２５℃で無限にまたは１００重量％水に溶解するもの、と定義される。「実質的に不水溶性の」グリコールエーテル溶剤は、プロピレングリコールブチルエーテル、ジプロピレングリコールブチルエーテル、ジプロピレングリコールプロピルエーテル、トリプロピレングリコールブチルエーテル、ジプロピレングリコールジメチルエーテル、プロピレングリコールフェニルエーテル、エチレングリコールヘキシルエーテル、ジエチレングリコールヘキシルエーテル、エチレングリコールフェニルエーテル、ジエチレングリコールフェニルエーテル、及び他を含む。「実質的に不水溶性の」溶剤とは、２５℃で５３重量％未満の溶剤が水に溶解するもの、と定義される。好ましい溶剤は、実質的に水溶性の溶剤である。
【００６４】
本発明によると、アミジン溶剤は、典型的には、非水性ラベル除去組成物中に、約３０重量％〜約７０重量％、または約４０重量％〜約７０重量％、または約５０重量％〜約６５重量％存在する。アミジン溶剤と組み合わせたさらなる溶剤は、典型的には、非水性ラベル除去組成物中に、約５重量％〜約５０重量％、または約１０重量％〜約５０重量％、または約２０重量％〜約４０重量％存在する。本発明の範囲を限定することなく、引用される範囲は、範囲を定義する数字を含み、定義された範囲内の各整数を含む。
【００６５】
本発明のさらなる実施形態によると、アミジン溶剤は、典型的には、水性ラベル除去組成物中に、約１重量％〜約２０重量％、または約５重量％〜約２０重量％、または約７重量％〜約１５重量％存在する。アミジン溶剤と組み合わせたさらなる溶剤は、典型的には、水性ラベル除去組成物中に、約０．０１重量％〜約１５重量％、または約０．１重量％〜約１５重量％、または約５重量％〜約１５重量％存在する。アミジン及び／またはさらなる溶剤と組み合わせた水は、典型的には、水性ラベル除去組成物中に、約５重量％〜約９０重量％、または約１０重量％〜約８０重量％、または約２０重量％〜約８０重量％存在する。特定の好ましい態様では、アミジン及び／またはさらなる溶剤と組み合わせた水は、７０重量％未満の量で存在する。本発明の範囲を限定することなく、引用される範囲は、範囲を定義する数字を含み、定義された範囲内の各整数を含む。
【００６６】
界面活性剤
いくつかの実施形態では、本発明のラベル除去組成物は、界面活性剤または界面活性剤の組み合わせを含む。ラベル除去組成物のさらなる洗浄性または洗浄有効性は、界面活性剤材料の使用で得られることができる。界面活性剤の様々なタイプは、本発明によると、ラベル除去組成物へ配合され、接着剤の浸透力及び可溶化を向上し得るが、本発明に従った接着剤除去の主な有効性は、ラベル除去組成物中に溶剤を含むことで得られる。本発明の非限定的な実施形態によると、ラベル除去組成物に湿潤剤をさらに含むことにより、ミセル形成と、汚れ及び／またはラベル及び／または接着剤の除去との相乗的なメカニズムが提供される。
【００６７】
本発明の組成物とともに使用するために好適な界面活性剤は、限定されないが、アニオン性界面活性剤、非イオン性界面活性剤、両性界面活性剤、及びカチオン性界面活性剤を含む。ラベル除去組成物中への使用に好適な界面活性剤のさらなる開示は、「Ｓｕｒｆａｃｅ  Ａｃｔｉｖｅ  Ａｇｅｎｔｓ  ａｎｄ  Ｄｅｔｅｒｇｅｎｔｓ」（Ｖｏｌ．Ｉ  ａｎｄ  ＩＩ  ｂｙ  Ｓｃｈｗａｒｔｚ，Ｐｅｒｒｙ  ａｎｄ  Ｂｅｒｃｈ）、及び「Ｓｕｒｆａｃｔａｎｔ  Ｅｎｃｙｃｌｏｐｅｄｉａ」Ｃｏｓｍｅｔｉｃｓ＆Ｔｏｉｌｅｔｒｉｅｓ，Ｖｏｌ．１０４（２）６９−７１（１９８９）に提供されており、それぞれその全体が本明細書に組み込まれる。好ましい実施形態では、アニオン性界面活性剤（類）が、アミジン溶剤及び／またはさらなる溶剤を含むラベル除去組成物中に含まれる。さらなる好ましい実施形態では、非イオン性界面活性剤（類）が、アミジン溶剤及び／またはさらなる溶剤を含むラベル除去組成物中に含まれる。またさらなる好ましい実施形態では、非イオン性及びアニオン性界面活性剤（類）が、アミジン溶剤及び／またはさらなる溶剤を含むラベル除去組成物中に含まれる。
【００６８】
本発明のいくつかの実施形態では、界面活性剤は、典型的には、水性ラベル除去組成物中に、約０重量％〜約５０重量％、約５重量％〜約４０重量％、約１０重量％〜約４０重量％、約１０重量％〜約３５重量％、約１０重量％〜約３０重量％、約１５重量％〜約３０重量％で存在する。本発明の他の実施形態では、界面活性剤は、典型的には、非水性ラベル除去組成物中に、約０重量％〜約５０重量％、約５重量％〜約５０重量％、約１０重量％〜約５０重量％、約５重量％〜約４０重量％、約５重量％〜約３０重量％、約５重量％〜約２５重量％、約１０重量％〜約２５重量％、約１０重量％〜約２０重量％で存在する。本発明の範囲を限定することなく、引用される範囲は、範囲を定義する数字を含み、定義された範囲内の各整数を含む。
【００６９】
アニオン性界面活性剤
いくつかの実施形態では、本発明のラベル除去組成物は、アニオン性界面活性剤を含む。本発明の組成物中への使用に好適なアニオン性サルフェート界面活性剤は、アルキルエーテルスルフェート、アルキルスルフェート、直鎖状及び分岐鎖状一級及び二級アルキルスルフェート、アルキルエトキシスルフェート、脂肪族オレイルグリセロールスルフェート、アルキルフェノールエチレンオキシドエーテルスルフェート、Ｃ５〜Ｃ１７アシル−Ｎ−（Ｃ１〜Ｃ４アルキル）及び−Ｎ−（Ｃ１〜Ｃ２ヒドロキシアルキル）グルカミンスルフェート、ならびに硫酸アルキルポリグルコシド等の硫酸アルキルポリサッカリド等を含む。アルキルスルフェート、（通常分子当たり１〜６個のオキシエチレン基を有する）エチレンオキシド及びノニルフェノールの硫酸化物または縮合生成物等のアルキルポリ（エチレンオキシ）エーテルスルフェート及び芳香族ポリ（エチレンオキシ）スルフェートもまた含まれる。
【００７０】
本発明の組成物中への使用に好適なアニオン性スルホネート界面活性剤はまた、アルキルスルホネート、直鎖状及び分岐鎖状一級及び二級アルキルスルホネート、及び置換基を有するかまたは有さない芳香族スルホネートを含む。例示的なアニオン性スルホネート界面活性剤は、Ｃ１０〜Ｃ１６アルキルベンゼンスルホン酸を含むアルキルベンゼンスルホン酸を含む。
【００７１】
本発明の組成物中への使用に好適なアニオン性カルボン酸塩界面活性剤は、アルカン酸（及びアルカン酸塩）、カルボン酸エステル（例えばアルキルコハク酸塩）、エーテルカルボン酸等のカルボン酸（及び塩）を含む。かかるカルボキシレートは、アルキルエトキシカルボキシレート、アルキルアリールエトキシカルボキシレート、アルキルポリエトキシポリカルボキシレート界面活性剤及び石鹸（例えばアルキルカルボキシル）を含む。本発明の組成物に有用な二級カルボキシレートは、二級炭素に結合しているカルボキシルユニットを含有するものを含む。二級炭素は、例えば、ｐ−オクチル安息香酸におけるように、またはアルキル置換シクロヘキシルカルボキシレートにおけるように、環構造であり得る。二級カルボキシレート界面活性剤は、典型的には、エーテル結合、エステル結合、及びヒドロキシル基を含有しない。さらに、それらは典型的には、頭部基（両親媒性部分）内に窒素原子を欠く。好適な二級石鹸界面活性剤は、典型的には、合計１１〜１３個の炭素原子を含有するが、より多くの炭素原子（例えば１６個まで）が存在し得る。好適なカルボキシレートとしてはまた、アシルアミノ酸（及び塩）、例えば、アシルグルタメート、アシルペプチド、サルコシネート（例えば、Ｎ−アシルサルコシネート）、タウレート（例えば、Ｎ−アシルタウレート、及びメチルタウリド（ｍｅｔｈｙｌ  ｔａｕｒｉｄｅ）の脂肪酸アミド）などが挙げられる。
【００７２】
好適なアニオン性界面活性剤は、以下の式のアルキルまたはアルキルアリールエトキシカルボキシレートを含む。
Ｒ−Ｏ−（ＣＨ２ＣＨ２Ｏ）ｎ（ＣＨ２）ｍ−ＣＯ２Ｘ    （３）
式中、Ｒは、Ｃ８〜Ｃ２２アルキル基または
【化３】
2020179940.tif 000007
であり、式中、Ｒ１は、Ｃ４〜Ｃ１６アルキル基であり、ｎは、１〜２０の整数であり、ｍは、１〜３の整数であり、Ｘは、水素、ナトリウム、カリウム、リチウム、アンモニウムなどの対イオンか、またはモノエタノールアミン、ジエタノールアミン、もしくはトリエタノールアミンなどのアミン塩である。いくつかの実施形態では、ｎは４〜１０の整数であり、ｍは１である。いくつかの実施形態では、Ｒは、Ｃ８〜Ｃ１６アルキル基である。いくつかの実施形態では、ＲはＣ１２〜Ｃ１４アルキル基であり、ｎは４であり、ｍは１である。
【００７３】
他の実施形態では、Ｒは、
【化４】
2020179940.tif 000008
であり、Ｒ１は、Ｃ６〜Ｃ１２アルキル基である。いくつかの実施形態では、Ｒ１はＣ９アルキル基であり、ｎは１０であり、ｍは１である。
【００７４】
かかるアルキル及びアルキルアリールエトキシカルボキシレートは、市販されている。これらのエトキシカルボキシレートは、典型的には、酸の形式で入手可能であり、アニオン性または塩の形式にすぐに変換されることができる。市販のカルボキシレートは、Ｎｅｏｄｏｘ２３−４、Ｃ１２〜１３アルキルポリエトキシ（４）カルボン酸（Ｓｈｅｌｌ  Ｃｈｅｍｉｃａｌ）、及びＥｍｃｏｌ（登録商標）ＣＮＰ−１１０、Ｃ９アルキルアリールポリエトキシ（１０）カルボン酸（ＡｋｚｏＮｏｂｅｌＷｉｔｃｏ  Ｃｈｅｍｉｃａｌ）を含む。カルボキシレートはまた、例えば、製品Ｓａｎｄｏｐａｎ（登録商標）ＤＴＣ、Ｃ１３アルキルポリエトキシ（７）カルボン酸が、Ｃｌａｒｉａｎｔから入手可能である。
【００７５】
非イオン性界面活性剤
いくつかの実施形態では、本発明のラベル除去組成物は、非イオン性界面活性剤を含む。好適な本発明の組成物との使用に好適な非イオン性界面活性剤は、アルコキシル化界面活性剤を含む。好適なアルコキシレル化界面活性剤は、アルコキシル化イソプロパノールアミド、ＥＯ／ＰＯコポリマー、末端保護されたＥＯ／ＰＯコポリマー、アルコールアルコキシレート、末端保護されたアルコールアルコキシレート、それらの混合物等を含む。溶剤としての使用に好適なアルコキシル化界面活性剤は、Ｐｌｕｒｏｎｉｃ（登録商標）及びリバースＰｌｕｒｏｎｉｃ（登録商標）界面活性剤等のＥＯ／ＰＯブロックコポリマー、Ｄｅｈｙｐｏｎ（登録商標）ＬＳ−５４（Ｒ−（ＥＯ）５（ＰＯ）４）及びＤｅｈｙｐｏｎ（登録商標）ＬＳ−３６（Ｒ−（ＥＯ）３（ＰＯ）６）等のアルコールアルコキシレート、ならびにＰｌｕｒａｆａｃ（登録商標）ＬＦ２２１及びＴｅｇｏｔｅｎ（登録商標）ＥＣ１１等の末端保護されたアルコールアルコキシレート、それらの混合物等を含む。
【００７６】
半極性タイプの非イオン性界面活性剤は、本発明の組成物に有用な非イオン性界面活性剤の別部類である。半極性非イオン性界面活性剤は、アミンオキシド、ホスフィンオキシド、スルホキシド、及びそれらのアルコキシル化誘導体を含む。
【００７７】
アミンオキシドは、一般式：
【化５】
2020179940.tif 000009
に対応する三級アミンオキシドであり、式中、矢印は、従来的な半極性結合の表現であり、Ｒ１、Ｒ２、及びＲ３は、脂肪族、芳香族、複素環式、脂環式、またはそれらの組み合わせであってもよい。概して、関心の洗剤のアミンオキシドに関して、Ｒ１は、約８〜約２４個の炭素原子のアルキルラジカルであり、Ｒ２及びＲ３は、１〜３個の炭素原子のアルキルもしくはヒドロキシアルキル、それらの混合物であり、Ｒ２及びＲ３は、例えば、酸素または窒素原子を通して互いに結合されて、環構造を形成し得、Ｒ４は、２〜３個の炭素原子を含有するアルキレンまたはヒドロキシアルキレン基であり、ｎは、０〜約２０の範囲である。アミンオキシドは、対応するアミン、及び過酸化水素などの酸化剤から発生され得る。
【００７８】
有用な水溶性アミンオキシド界面活性剤は、オクチル、デシル、ドデシル、イソドデシル、ココナッツ、またはタローアルキルジ−（低級アルキル）アミンオキシドから選択され、それらの特定の例としては、オクチルジメチルアミンオキシド、ノニルジメチルアミンオキシド、デシルジメチルアミンオキシド、ウンデシルジメチルアミンオキシド、ドデシルジメチルアミンオキシド、イソ−ドデシルジメチルアミンオキシド、トリデシルジメチルアミンオキシド、テトラデシルジメチルアミンオキシド、ペンタデシルジメチルアミンオキシド、ヘキサデシルジメチルアミンオキシド、ヘプタデシルジメチルアミンオキシド、オクタデシルジメチラニン（ｏｃｔａｄｅｃｙｌｄｉｍｅｔｈｙｌａｉｎｅ）オキシド、ドデシルジプロピルアミンオキシド、テトラデシルジプロピルアミンオキシド、ヘキサデシルジプロピルアミンオキシド、テトラデシルジブチルアミンオキシド、オクタデシルジブチルアミンオキシド、ビス（２−ヒドロキシエチル）ドデシルアミンオキシド、ビス（２−ヒドロキシエチル）−３−ドデコキシ−１−ヒドロキシプロピルアミンオキシド、ジメチル−（２−ヒドロキシドデシル）アミンオキシド、３，６，９−トリオクタデシルジメチルアミンオキシド及び３−ドデコキシ−２−ヒドロキシプロピルジ−（２−ヒドロキシエチル）アミンオキシドが挙げられる。
【００７９】
さらなる機能的成分
任意の数の任意選択的な成分が、本発明のラベル除去組成物に添加され得る。機能的成分は、所望の特性及び機能をラベル除去組成物に提供する。本出願の目的では、用語「機能的材料または成分」は、使用及び／または濃縮溶液中に分散または溶解させた場合、特定の使用に有益な特性を提供する材料を含む。ラベル除去組成物は、さらに、瓶洗浄添加剤、微量の化合物、分散剤、再付着防止剤、安定化剤、分散剤、消泡剤、着色剤、すすぎ補助剤、触媒、腐食防止剤、染料、香料、保存料、及び本発明に有用であり得る他の成分を含む、多数の他の補助剤を含み得るか、それらからなり得るか、またはそれらから基本的になり得る。
【００８０】
瓶洗浄添加剤
いくつかの実施形態では、本発明のラベル除去組成物は、１つ以上の瓶洗浄添加剤を含む。ラベル除去組成物は、任意選択的に、瓶洗浄添加剤及び／または他の洗剤と組み合わせられ得る。用語「瓶洗浄添加剤」及びそれらの変形形態は、本明細書において使用される場合、瓶洗浄用途で用いられる界面活性剤、アルカリ源及び／または酸源、ならびに洗浄剤を指す。例示的な瓶洗浄添加剤は、例えば、米国特許第７，１４８，１８８号、発明の名称「Ｂｏｔｔｌｅｗａｓｈ  Ａｄｄｉｔｉｖｅ  Ｃｏｍｐｒｉｓｉｎｇ  ａｎ  Ａｌｋｙｌ  Ｄｉｐｈｅｎｙｌｅｎｅ  Ｏｘｉｄｅ  Ｄｉｓｕｌｆｏｎａｔｅ」に開示されており、その全体が参照により本明細書に組み込まれる。
【００８１】
いくつかの態様では、本発明に従ったラベル除去組成物は、約１重量％〜約２０重量％の量の水性の塩基性有機溶剤及び／またはアミジン、約５重量％〜約９０重量％の量の水、及び約０重量％〜約２０重量％の量の少なくとも１つの、例えば瓶洗浄添加剤を含むさらなる機能的成分を、含み得るか、それらからなり得るか、及び／または基本的にそれらからなり得る。いくつかの態様では、本発明に従ったラベル除去組成物は、約３０重量％〜約７０重量％の量の非水性の塩基性有機溶剤及び／またはアミジン、及び約０重量％〜約２０重量％の量の、例えば瓶洗浄添加剤を含む例えば含む少なくとも１つのさらなる機能的成分を、含み得るか、それらからなり得るか、及び／または基本的にそれらからなり得る。
【００８２】
ヒドロトロープ
いくつかの実施形態では、本発明の組成物は、ヒドロトロープを含む。ヒドロトロープは、本発明によると、ラベル除去組成物の可溶性及び／または安定性の維持に役立つように使用され得る。ヒドロトロープは、水溶液を改質し、有機溶剤を含む溶剤に可溶性の増加を生じる。任意のヒドロトロープカップリング剤は、組成物の他の成分と反応しないか、または組成物の性能特性に悪影響を及ぼさないことを条件に使用され得る。用いられ得るヒドロトロープカップリング剤または安定化剤の代表的な部類は、アルキルスルフェート及びアルカンスルホネート、直鎖状アルキルベンゼンまたはナフタレンスルホネート、二級アルカンスルホネート、アルキルエーテルスルフェートまたはスルホネート、アルキルホスフェートまたはホスホネート、ジアルキルスルホコハク酸エステル、糖エステル（例えばソルビタンエステル）、アミンオキシド（モノ−、ジ−、またはトリ−アルキル）及びＣ８〜Ｃ１０アルキルグルコシド等のアニオン性界面活性剤を含む。本発明への使用に好ましいカップリング剤は、アルキルベンゼンスルホネート（例えばキシレンスルホネート）もしくはナフタレンスルホネート、アリールもしくはアルカリルホスフェートエステル、または１〜約４０のエチレンを有するそれらのアルコキシル化類似体、プロピレンもしくはブチレンオキシドユニット、またはそれらの混合物等の一般的に入手可能な芳香族スルホネートを含む。いくつかの実施形態では、ヒドロトロープは、キシレンスルホネート、ジアルキルジフェニルオキシドスルホネート材料等の、低分子量の芳香族スルホネート材料である。
【００８３】
いくつかの態様では、ヒドロトロープまたはヒドロトロープの組み合わせは、ラベル除去組成物中に、好ましくは水性溶剤系ラベル除去組成物中に、約０重量％〜約５０重量％、約１重量％〜約２５重量％、約５重量％〜約１５重量％、または約５重量％〜約１０重量％の量で存在し得る。本発明の範囲を限定することなく、引用される範囲は、範囲を定義する数字を含み、定義された範囲内の各整数を含む。
【００８４】
いくつかの態様では、本発明に従ったラベル除去組成物は、約１重量％〜約２０重量％の量の水性の塩基性有機溶剤及び／またはアミジン、約５重量％〜約９０重量％の量の水、及び約０重量％〜約５０重量％の量の、例えばヒドロトロープまたはヒドロトロープの組み合わせを含む少なくとも１つのさらなる機能的成分を含み得るか、それらからなり得るか、及び／または基本的にそれらからなり得る。いくつかの態様では、本発明に従ったラベル除去組成物は、約３０重量％〜約７０重量％の量の非水性の塩基性有機溶剤及び／またはアミジン、及び約０重量％〜約５０重量％の量の、例えばヒドロトロープまたはヒドロトロープの組み合わせを含む少なくとも１つのさらなる機能的成分を含み得るか、それらからなり得るか、及び／または基本的にそれらからなり得る。
【００８５】
キレート剤／金属イオン封鎖剤
いくつかの実施形態では、本発明のラベル除去組成物は、キレート剤及び／または金属イオン封鎖剤を含む。本発明によると有用な、特に好適なキレート剤／金属イオン封鎖剤は、限定されないが、その全体が参照により本明細書に組み込まれる、米国特許第７，１４８，１８８号に開示のように、ホスフェート、ホスホネート、グルコネートを含み得る。本明細書への使用に好適なホスフェートは、限定されないが、リン酸モノマー、リン酸ポリマー、リン酸塩、もしくはそれらの組み合わせ；オルトホスフェート、メタホスフェート、トリポリホスフェート、もしくはそれらの組み合わせ；リン酸；アルカリ金属、ポリホスフェートのアンモニウム及びアルカノールアンモニウム塩（例えば、トリポリホスフェートナトリウム及び他の高級直鎖状及び環状ポリホスフェート種、ピロホスフェート、及びガラス質ポリマーメタ−ホスフェート）；アミノホスフェート；ニトリロトリスメチレンホスフェート等；またはそれらの組み合わせを含む。好ましいホスフェートは、リン酸、ならびにそのモノマー、ポリマー、及び塩等、またはそれらの組み合わせを含む。好適なホスホネートは、多種多様なリン酸、及びオルガノホスホネート等のホスホネート塩を含む。本明細書において使用される場合、有機ホスホネートまたはオルガノホスホネートは、アミノまたはイミノ（例えば窒素）部分が全く欠如した有機ホスホネートを指す。ホスホン酸またはホスホネートは、約２  ４個のカルボン酸部分及び約３個のホスホン酸基を有するもの等、低分子量のホスホノカルボン酸を含み得る。有機ホスホネートのいくつかの例としては、１−ヒドロキシエタン−１，１−ジホスホン酸；ＣＨ３Ｃ（ＯＨ）［ＰＯ（ＯＨ）２］２；１−ホスホノ−１−メチルコハク酸、ホスホノコハク酸；２−ホスホノブタン−１，２，４−トリカルボン酸；他の同様の有機ホスホネート；及びそれらの混合物が挙げられる。さらなる好適なホスホネートは、亜リン酸、Ｈ３ＰＯ３、及びその塩を含む。
【００８６】
ホスホン酸は、水溶性の酸性塩の形式で、特に、ナトリウムまたはカリウム等のアルカリ金属塩；アンモニウム塩；またはモノ−、ジ−、またはトリエタノールアミン塩等のアルキロールが２〜３個の炭素原子を有するアルキロールアミン塩の形式で使用され得る。好ましいホスホネートは、有機ホスホネートを含む。好ましい有機ホスホネートは、ＢＡＹＨＩＢＩＴ（商標）ＡＭの商標名にてＰｉｔｔｓｂｕｒｇｈ  Ｐａ．にあるＢａｙｅｒ  Ｃｏｒｐ．から入手可能なホスホノブタントリカルボン酸（ＰＢＴＣ）、及びＤＥＱＵＥＳＴ（商標）２０１０の商標名にて販売されているＭｏｎｓａｎｔｏ  Ｃｈｅｍｉｃａｌ  Ｃｏ．より入手可能なヒドロキシエチリデンジホスホン酸（ＨＥＤＰ）を含む。本発明への使用に好適なホスフェート及び好適なホスホネート金属イオン封鎖剤のさらなる記載は、米国特許第６，４３６，８９３号に記載されており、その全体が参照により本明細書に組み込まれる。
【００８７】
キレート剤／金属イオン封鎖剤は、ラベル除去組成物中に、約０．１重量％〜約５０重量％、より好適には約１重量％〜約３０重量％、さらにより好ましくは約３重量％〜約１０重量％の量で用いられ得る。本発明の範囲を限定することなく、引用される範囲は、範囲を定義する数字を含み、定義された範囲内の各整数を含む。
【００８８】
いくつかの態様では、本発明に従ったラベル除去組成物は、約１重量％〜約２０重量％の量の水性の塩基性有機溶剤及び／またはアミジン、約５重量％〜約９０重量％の量の水、及び約０．１重量％〜約５０重量％の量の、例えばキレート剤／金属イオン封鎖剤を含む少なくとも１つのさらなる機能的成分を含み得るか、それらからなり得るか、及び／または基本的にそれらからなり得る。いくつかの態様では、本発明に従ったラベル除去組成物は、約３０重量％〜約７０重量％の量の非水性の塩基性有機溶剤及び／またはアミジン、及び約０．１重量％〜約５０重量％の量の、例えばキレート剤／金属イオン封鎖剤を含む少なくとも１つのさらなる機能的成分を含み得るか、それらからなり得るか、及び／または基本的にそれらからなり得る。
【００８９】
消泡剤
いくつかの実施形態では、本発明のラベル除去組成物は、消泡剤を含む。特に好適な消泡剤は、界面活性剤及び／または金属イオン封鎖剤と組み合わせて用いられ得る。本発明の組成物に使用され得る湿潤剤は、本発明の組成物の界面活性を高めるとして当該技術で既知のこれらの成分のいずれかのものを含む。概して、本発明に従って使用され得る消泡剤は、シリカ及びシリコーン；脂肪酸またはエステル；アルコール；スルフェートまたはスルホネート；アミンまたはアミド；フルオロクロロ炭化水素等のハロゲン化合物；植物油、ワックス、鉱物油ならびにそれらのスルホン化または硫酸化誘導体；アルカリ、アルカリ土類金属石鹸等の脂肪酸及び／またはそれらの石鹸；アルキル及びアルカリジホスフェート等のホスフェート及びホスフェートエステル、ならびに中でもトリブチルホスフェート；ならびにそれらの混合物を含む。
【００９０】
いくつかの実施形態では、ラベル除去組成物は、本発明の方法の所与の用途を考慮して、食品等級品質の消泡剤（ａｎｔｉｆｏａｍｉｎｇ  ａｇｅｎｔｓ）または消泡剤（ｄｅｆｏａｍｅｒｓ）を含む。この目的を達成するために、より効果的な消泡剤のうちの１つは、シリコーンを含む。ジメチルシリコーン、グリコールポリシロキサン、メチルフェノールポリシロキサン、トリアキルまたはテトラルキル（ｔｅｔｒａｌｋｙｌ）シラン、疎水性シリカ消泡剤及びそれらの混合物等のシリコーンは、消泡用途に全て使用され得る。一般的に入手可能な商用の消泡剤は、有機エマルションに結合されたシリコーンである、Ａｒｍｏｕｒ  Ｉｎｄｕｓｔｒｉａｌ  Ｃｈｅｍｉｃａｌ  ＣｏｍｐａｎｙからのＡｒｄｅｆｏａｍ（登録商標）；シリコーン及び非シリコーンタイプの消泡剤ならびにシリコーンエステルである、Ｋｒｕｓａｂｌｅ  Ｃｈｅｍｉｃａｌ  Ｃｏｍｐａｎｙから入手可能なＦｏａｍ  Ｋｉｌｌ（登録商標）またはＫｒｅｓｓｅｏ（登録商標）；及び中でもともに食品等級タイプのシリコーンである、Ｄｏｗ  Ｃｏｒｎｉｎｇ  ＣｏｒｐｏｒａｔｉｏｎからのＡｎｔｉ−Ｆｏａｍ  Ａ（登録商標）及びＤＣ−２００等のシリコーンを含む。一実施形態では、消泡剤は、ポリオキシエチレン／ポリオキシプロピレンのブロックコポリマーである。
【００９１】
好適な消泡剤のさらなる記載は、例えば、米国特許第３，０４８，５４８号、同第３，３３４，１４７号、及び同第３，４４２，２４２号に見出され得、その開示は参照により本明細書に組み込まれる。
【００９２】
いくつかの態様では、本発明に従ったラベル除去組成物は、約１重量％〜約２０重量％の量の水性の塩基性有機溶剤及び／またはアミジン、約５重量％〜約９０重量％の量の水、及び約０重量％〜約２０重量％の量の、例えば消泡剤を含む少なくとも１つのさらなる機能的成分を含み得るか、それらからなり得るか、及び／または基本的にそれらからなり得る。いくつかの態様では、本発明に従ったラベル除去組成物は、約３０重量％〜約７０重量％の量の非水性の塩基性有機溶剤及び／またはアミジン、及び約０重量％〜約２０重量％の量の、例えば消泡剤を含む例えば含む少なくとも１つのさらなる機能的成分を、含み得るか、それらからなり得るか、及び／または基本的にそれらからなり得る。
【００９３】
すすぎ補助剤
いくつかの実施形態では、本発明のラベル除去組成物は、処理済みの表面から水切れ／水の除去を改善する、及び／または表面の乾燥を改善するために、すすぎ補助剤を含む。概して、すすぎ補助剤配合物は、他の任意選択的な成分と組み合わせた湿潤剤またはシ−ティング剤を含有する。すすぎ補助剤は、すすぎ水の表面張力を低減して、シーティング作用を促進する、及び／またはすすぎ完了後玉状の水により生じる斑点または筋を防止することができる。シーティング剤の例としては、限定されないが、ホモポリマー、またはブロックまたはヘテロコポリマーの構造のエチレンオキシド、プロピレンオキシド、または混合物から調製されたポリエーテル化合物が挙げられる。かかるポリエーテル化合物は、ポリアルキレンオキシドポリマー、ポリオキシアルキレンポリマー、またはポリアルキレングリコールポリマーとして知られている。かかるシ−ティング剤は、相対的に疎水性の領域と、相対的に親水性の領域を必要とし、分子に界面活性特性を提供する。様々なさらなる好適なすすぎ補助剤は、例えば、米国特許出願第１２／７０６，１４３号及び同第１３／１０１，２９５号に開示されており、その全体が参照により本明細書に組み込まれる。
【００９４】
いくつかの態様では、本発明に従ったラベル除去組成物は、約１重量％〜約２０重量％の量の水性の塩基性有機溶剤及び／またはアミジン、約５重量％〜約９０重量％の量の水、及び約０重量％〜約２０重量％の量の、例えばすすぎ補助剤を含む少なくとも１つのさらなる機能的成分を含み得るか、それらからなり得るか、及び／または基本的にそれらからなり得る。いくつかの態様では、本発明に従ったラベル除去組成物は、約３０重量％〜約７０重量％の量の非水性の塩基性有機溶剤及び／またはアミジン、及び約０重量％〜約２０重量％の量の、例えばすすぎ補助剤を含む例えば含む少なくとも１つのさらなる機能的成分を、含み得るか、それらからなり得るか、及び／または基本的にそれらからなり得る。
【００９５】
腐食防止剤
いくつかの実施形態では、本発明のラベル除去組成物は、腐食防止剤を含む。本発明に従った使用に好適な例示的な腐食防止剤は、例えば、米国特許出願第１３／５４８，３６７号、ならびに米国特許第８，３４３，３８０号、同第８，２０７，１０２号、同第８，１１４，３４４号、同第８，１１４，３４３号、同第８，１０５，５３１号、同第８，０２１，４９３号、同第７，９６０，３２９号、同第７，９１９，４４８号、同第７，８２９，５１６号、同第７，８２８，９０８号、同第７，７４１，２６２号、同第７，７０９，４３４号、同第７，１９６，０４５号、同第７，１９６，０４４号、及び同第６，８３５，７０２号に開示されており、それらの全体が参照により本明細書に組み込まれる。
【００９６】
いくつかの態様では、本発明に従ったラベル除去組成物は、約１重量％〜約２０重量％の量の水性の塩基性有機溶剤及び／またはアミジン、約５重量％〜約９０重量％の量の水、及び約０重量％〜約２０重量％の量の、例えば腐食防止剤を含む少なくとも１つのさらなる機能的成分を含み得るか、それらからなり得るか、及び／または基本的にそれらからなり得る。いくつかの態様では、本発明に従ったラベル除去組成物は、約３０重量％〜約７０重量％の量の非水性の塩基性有機溶剤及び／またはアミジン、及び約０重量％〜約２０重量％の量の、例えば腐食防止剤を含む例えば含む少なくとも１つのさらなる機能的成分を、含み得るか、それらからなり得るか、及び／または基本的にそれらからなり得る。
【００９７】
触媒
いくつかの実施形態では、本発明のラベル除去組成物は、触媒を含む。触媒は、例えば、金属マンガン、銀、及び／またはバナジウム等を含む様々な形式で提供され得る。本発明の一態様では、触媒は、好ましくは少なくとも１つのマンガン源を含む。いくつかの実施形態では、マンガン源は、金属マンガン、酸化マンガン、コロイド状マンガン、無機または有機マンガン錯体から誘導され、マンガンスルフェート、マンガンカーボネート、マンガンアセテート、マンガンラクテート、マンガンニトレート、マンガングルコネート、マンガンクロリド、または市販のＤｒａｇｏｎ  Ａ３５０（Ｄｒａｇｏｎ’ｓ  Ｂｌｏｏｄとしても知られる、Ｒａｈｕ  Ｃａｔａｌｙｔｉｃｓ  ｏｆ  Ｎｏｔｔｉｎｇｈａｍ，Ｕ．Ｋ．より入手可能）またはマンガンと塩を形成する種の任意の塩を含む。
【００９８】
一実施形態によると、触媒は少なくとも１つの銀源を含む。いくつかの実施形態では、銀源は、金属銀、酸化銀、酸化銀、水酸化銀、コロイド状銀、無機または有機銀錯体、水溶性または水不溶性銀塩から誘導され、銀スルフェート、銀カーボネート、銀アセテート、銀ラクテート、銀ニトレート、銀グルコネート、もしくは銀クロリド、または銀の任意の塩、または銀と塩を形成する種を含む。またさらなる実施形態によると、触媒は少なくとも１つのバナジウム源を含む。
【００９９】
本発明に従った使用に好適であり得るさらなる触媒の記載は、米国特許出願第１２／８８７，７５５号に提供されており、その全体が参照により本明細書に組み込まれる。
【０１００】
いくつかの態様では、本発明に従ったラベル除去組成物は、約１重量％〜約２０重量％の量の水性の塩基性有機溶剤及び／またはアミジン、約５重量％〜約９０重量％の量の水、及び約０重量％〜約２０重量％の量の、例えば触媒を含む少なくとも１つのさらなる機能的成分を含み得るか、それらからなり得るか、及び／または基本的にそれらからなり得る。いくつかの態様では、本発明に従ったラベル除去組成物は、約３０重量％〜約７０重量％の量の非水性の塩基性有機溶剤及び／またはアミジン、及び約０重量％〜約２０重量％の量の、例えば触媒を含む例えば含む少なくとも１つのさらなる機能的成分を、含み得るか、それらからなり得るか、及び／または基本的にそれらからなり得る。
【０１０１】
例示的な非水性溶剤系組成物
いくつかの態様では、本発明に従ったラベル除去組成物は、約３０重量％〜約７０重量％の量の非水性の塩基性有機溶剤及び／またはアミジン、約０重量％〜約５０重量％の量のさらなる溶剤、約０重量％〜約５０重量％の量の１つ以上の界面活性剤、約０重量％〜約２重量％の量の水酸化ナトリウム、ならびに、約１重量％〜約２０重量％の量の瓶洗浄添加剤（類）、約１重量％〜約５０重量％の量のヒドロトロープ（類）、約０．１重量％〜約５０重量％の量のキレート剤（類）／金属イオン封鎖剤（類）、約０．１重量％〜約２０重量％の量の消泡剤（類）、約０．１重量％〜約２０重量％の量のすすぎ補助剤（類）、約０重量％〜約２０重量％の量の腐食防止剤（類）、約０．１重量％〜約２０重量％の量の触媒（類）からなる群から選択された少なくとも１つのさらなる機能的成分を含み得るか、それらからなり得るか、及び／または基本的にそれらからなり得る。
【０１０２】
いくつかの態様では、本発明に従ったラベル除去組成物は、約３０重量％〜約７０重量％の量の非水性の塩基性有機溶剤及び／またはアミジン、約０重量％〜約５０重量％の量のさらなる溶剤、約０重量％〜約５０重量％の量の１つ以上の界面活性剤、約０重量％〜約２重量％の量の水酸化ナトリウム、ならびに、約１重量％〜約２０重量％の量の瓶洗浄添加剤（類）、約１重量％〜約５０重量％の量のヒドロトロープ（類）、約０．１重量％〜約５０重量％の量のキレート剤（類）／金属イオン封鎖剤（類）、約０．１重量％〜約２０重量％の量の消泡剤（類）、約０．１重量％〜約２０重量％の量のすすぎ補助剤（類）、約０重量％〜約２０重量％の量の腐食防止剤（類）、約０．１重量％〜約２０重量％の量の触媒（類）からなる群から選択された少なくとも２つのさらなる機能的成分を含み得るか、それらからなり得るか、及び／または基本的にそれらからなり得る。
【０１０３】
いくつかの態様では、本発明に従ったラベル除去組成物は、約３０重量％〜約７０重量％の量の非水性の塩基性有機溶剤及び／またはアミジン、約０重量％〜約５０重量％の量のさらなる溶剤、約０重量％〜約５０重量％の量の１つ以上の界面活性剤、約０重量％〜約２重量％の量の水酸化ナトリウム、ならびに、約１重量％〜約２０重量％の量の瓶洗浄添加剤（類）、約１重量％〜約５０重量％の量のヒドロトロープ（類）、約０．１重量％〜約５０重量％の量のキレート剤（類）／金属イオン封鎖剤（類）、約０．１重量％〜約２０重量％の量の消泡剤（類）、約０．１重量％〜約２０重量％の量のすすぎ補助剤（類）、約０重量％〜約２０重量％の量の腐食防止剤（類）、約０．１重量％〜約２０重量％の量の触媒（類）からなる群から選択された少なくとも３つのさらなる機能的成分を含み得るか、それらからなり得るか、及び／または基本的にそれらからなり得る。
【０１０４】
いくつかの態様では、本発明に従ったラベル除去組成物は、約３０重量％〜約７０重量％の量の非水性の塩基性有機溶剤及び／またはアミジン、約０重量％〜約５０重量％の量のさらなる溶剤、約０重量％〜約５０重量％の量の１つ以上の界面活性剤、約０重量％〜約２重量％の量の水酸化ナトリウム、ならびに、約１重量％〜約２０重量％の量の瓶洗浄添加剤（類）、約１重量％〜約５０重量％の量のヒドロトロープ（類）、約０．１重量％〜約５０重量％の量のキレート剤（類）／金属イオン封鎖剤（類）、約０．１重量％〜約２０重量％の量の消泡剤（類）、約０．１重量％〜約２０重量％の量のすすぎ補助剤（類）、約０重量％〜約２０重量％の量の腐食防止剤（類）、約０．１重量％〜約２０重量％の量の触媒（類）からなる群から選択された少なくとも４つのさらなる機能的成分を含み得るか、それらからなり得るか、及び／または基本的にそれらからなり得る。
【０１０５】
いくつかの態様では、本発明に従ったラベル除去組成物は、約３０重量％〜約７０重量％の量の非水性の塩基性有機溶剤及び／またはアミジン、約０重量％〜約５０重量％の量のさらなる溶剤、約０重量％〜約５０重量％の量の１つ以上の界面活性剤、約０重量％〜約２重量％の量の水酸化ナトリウム、ならびに、約１重量％〜約２０重量％の量の瓶洗浄添加剤（類）、約１重量％〜約５０重量％の量のヒドロトロープ（類）、約０．１重量％〜約５０重量％の量のキレート剤（類）／金属イオン封鎖剤（類）、約０．１重量％〜約２０重量％の量の消泡剤（類）、約０．１重量％〜約２０重量％の量のすすぎ補助剤（類）、約０重量％〜約２０重量％の量の腐食防止剤（類）、約０．１重量％〜約２０重量％の量の触媒（類）からなる群から選択された少なくとも５つのさらなる機能的成分を含み得るか、それらからなり得るか、及び／または基本的にそれらからなり得る。
【０１０６】
いくつかの態様では、本発明に従ったラベル除去組成物は、約３０重量％〜約７０重量％の量の非水性の塩基性有機溶剤及び／またはアミジン、約０重量％〜約５０重量％の量のさらなる溶剤、約０重量％〜約５０重量％の量の１つ以上の界面活性剤、約０重量％〜約２重量％の量の水酸化ナトリウム、ならびに、約１重量％〜約２０重量％の量の瓶洗浄添加剤（類）、約１重量％〜約５０重量％の量のヒドロトロープ（類）、約０．１重量％〜約５０重量％の量のキレート剤（類）／金属イオン封鎖剤（類）、約０．１重量％〜約２０重量％の量の消泡剤（類）、約０．１重量％〜約２０重量％の量のすすぎ補助剤（類）、約０重量％〜約２０重量％の量の腐食防止剤（類）、約０．１重量％〜約２０重量％の量の触媒（類）からなる群から選択された少なくとも６つのさらなる機能的成分を含み得るか、それらからなり得るか、及び／または基本的にそれらからなり得る。
【０１０７】
いくつかの態様では、本発明に従ったラベル除去組成物は、約３０重量％〜約７０重量％の量の非水性の塩基性有機溶剤及び／またはアミジン、約０重量％〜約５０重量％の量のさらなる溶剤、約０重量％〜約５０重量％の量の１つ以上の界面活性剤、約０重量％〜約２重量％の量の水酸化ナトリウム、ならびに、約１重量％〜約２０重量％の量の瓶洗浄添加剤（類）、約１重量％〜約５０重量％の量のヒドロトロープ（類）、約０．１重量％〜約５０重量％の量のキレート剤（類）／金属イオン封鎖剤（類）、約０．１重量％〜約２０重量％の量の消泡剤（類）、約０．１重量％〜約２０重量％の量のすすぎ補助剤（類）、約０重量％〜約２０重量％の量の腐食防止剤（類）、約０．１重量％〜約２０重量％の量の触媒（類）を含む、さらなる機能的成分のそれぞれを含み得るか、それらからなり得るか、及び／または基本的にそれらからなり得る。
【０１０８】
例示的な水性溶剤系組成物
いくつかの態様では、本発明に従ったラベル除去組成物は、約１重量％〜約２０重量％の量の水性の塩基性有機溶剤及び／またはアミジン、約０重量％〜約１５重量％の量のさらなる溶剤、約５重量％〜約９０重量％の量の水、約０重量％〜約５０重量％の量の１つ以上の界面活性剤、約０重量％〜約２重量％の量の水酸化ナトリウム、ならびに、約１重量％〜約２０重量％の量の瓶洗浄添加剤（類）、約１重量％〜約５０重量％の量のヒドロトロープ（類）、約０．１重量％〜約５０重量％の量のキレート剤（類）／金属イオン封鎖剤（類）、約０．１重量％〜約２０重量％の量の消泡剤（類）、約０．１重量％〜約２０重量％の量のすすぎ補助剤（類）、約０重量％〜約２０重量％の量の腐食防止剤（類）、約０．１重量％〜約２０重量％の量の触媒（類）からなる群から選択された少なくとも１つのさらなる機能的成分を含み得るか、それらからなり得るか、及び／または基本的にそれらからなり得る。
【０１０９】
いくつかの態様では、本発明に従ったラベル除去組成物は、約１重量％〜約２０重量％の量の水性の塩基性有機溶剤及び／またはアミジン、約０重量％〜約１５重量％の量のさらなる溶剤、約５重量％〜約９０重量％の量の水、約０重量％〜約５０重量％の量の１つ以上の界面活性剤、約０重量％〜約２重量％の量の水酸化ナトリウム、ならびに、約１重量％〜約２０重量％の量の瓶洗浄添加剤（類）、約１重量％〜約５０重量％の量のヒドロトロープ（類）、約０．１重量％〜約５０重量％の量のキレート剤（類）／金属イオン封鎖剤（類）、約０．１重量％〜約２０重量％の量の消泡剤（類）、約０．１重量％〜約２０重量％の量のすすぎ補助剤（類）、約０重量％〜約２０重量％の量の腐食防止剤（類）、約０．１重量％〜約２０重量％の量の触媒（類）からなる群から選択された少なくとも２つのさらなる機能的成分を含み得るか、それらからなり得るか、及び／または基本的にそれらからなり得る。
【０１１０】
いくつかの態様では、本発明に従ったラベル除去組成物は、約１重量％〜約２０重量％の量の水性の塩基性有機溶剤及び／またはアミジン、約０重量％〜約１５重量％の量のさらなる溶剤、約５重量％〜約９０重量％の量の水、約０重量％〜約５０重量％の量の１つ以上の界面活性剤、約０重量％〜約２重量％の量の水酸化ナトリウム、ならびに、約１重量％〜約２０重量％の量の瓶洗浄添加剤（類）、約１重量％〜約５０重量％の量のヒドロトロープ（類）、約０．１重量％〜約５０重量％の量のキレート剤（類）／金属イオン封鎖剤（類）、約０．１重量％〜約２０重量％の量の消泡剤（類）、約０．１重量％〜約２０重量％の量のすすぎ補助剤（類）、約０重量％〜約２０重量％の量の腐食防止剤（類）、約０．１重量％〜約２０重量％の量の触媒（類）からなる群から選択された少なくとも３つのさらなる機能的成分を含み得るか、それらからなり得るか、及び／または基本的にそれらからなり得る。
【０１１１】
いくつかの態様では、本発明に従ったラベル除去組成物は、約１重量％〜約２０重量％の量の水性の塩基性有機溶剤及び／またはアミジン、約０重量％〜約１５重量％の量のさらなる溶剤、約５重量％〜約９０重量％の量の水、約０重量％〜約５０重量％の量の１つ以上の界面活性剤、約０重量％〜約２重量％の量の水酸化ナトリウム、ならびに、約１重量％〜約２０重量％の量の瓶洗浄添加剤（類）、約１重量％〜約５０重量％の量のヒドロトロープ（類）、約０．１重量％〜約５０重量％の量のキレート剤（類）／金属イオン封鎖剤（類）、約０．１重量％〜約２０重量％の量の消泡剤（類）、約０．１重量％〜約２０重量％の量のすすぎ補助剤（類）、約０重量％〜約２０重量％の量の腐食防止剤（類）、約０．１重量％〜約２０重量％の量の触媒（類）からなる群から選択された少なくとも４つのさらなる機能的成分を含み得るか、それらからなり得るか、及び／または基本的にそれらからなり得る。
【０１１２】
いくつかの態様では、本発明に従ったラベル除去組成物は、約１重量％〜約２０重量％の量の水性の塩基性有機溶剤及び／またはアミジン、約０重量％〜約１５重量％の量のさらなる溶剤、約５重量％〜約９０重量％の量の水、約０重量％〜約５０重量％の量の１つ以上の界面活性剤、約０重量％〜約２重量％の量の水酸化ナトリウム、ならびに、約１重量％〜約２０重量％の量の瓶洗浄添加剤（類）、約１重量％〜約５０重量％の量のヒドロトロープ（類）、約０．１重量％〜約５０重量％の量のキレート剤（類）／金属イオン封鎖剤（類）、約０．１重量％〜約２０重量％の量の消泡剤（類）、約０．１重量％〜約２０重量％の量のすすぎ補助剤（類）、約０重量％〜約２０重量％の量の腐食防止剤（類）、約０．１重量％〜約２０重量％の量の触媒（類）からなる群から選択された少なくとも５つのさらなる機能的成分を含み得るか、それらからなり得るか、及び／または基本的にそれらからなり得る。
【０１１３】
いくつかの態様では、本発明に従ったラベル除去組成物は、約１重量％〜約２０重量％の量の水性の塩基性有機溶剤及び／またはアミジン、約０重量％〜約１５重量％の量のさらなる溶剤、約５重量％〜約９０重量％の量の水、約０重量％〜約５０重量％の量の１つ以上の界面活性剤、約０重量％〜約２重量％の量の水酸化ナトリウム、ならびに、約１重量％〜約２０重量％の量の瓶洗浄添加剤（類）、約１重量％〜約５０重量％の量のヒドロトロープ（類）、約０．１重量％〜約５０重量％の量のキレート剤（類）／金属イオン封鎖剤（類）、約０．１重量％〜約２０重量％の量の消泡剤（類）、約０．１重量％〜約２０重量％の量のすすぎ補助剤（類）、約０重量％〜約２０重量％の量の腐食防止剤（類）、約０．１重量％〜約２０重量％の量の触媒（類）からなる群から選択された少なくとも６つのさらなる機能的成分を含み得るか、それらからなり得るか、及び／または基本的にそれらからなり得る。
【０１１４】
いくつかの態様では、本発明に従ったラベル除去組成物は、約１重量％〜約２０重量％の量の水性の塩基性有機溶剤及び／またはアミジン、約０重量％〜約１５重量％の量のさらなる溶剤、約５重量％〜約９０重量％の量の水、約０重量％〜約５０重量％の量の１つ以上の界面活性剤、約０重量％〜約２重量％の量の水酸化ナトリウム、ならびに、約１重量％〜約２０重量％の量の瓶洗浄添加剤（類）、約１重量％〜約５０重量％の量のヒドロトロープ（類）、約０．１重量％〜約５０重量％の量のキレート剤（類）／金属イオン封鎖剤（類）、約０．１重量％〜約２０重量％の量の消泡剤（類）、約０．１重量％〜約２０重量％の量のすすぎ補助剤（類）、約０重量％〜約２０重量％の量の腐食防止剤（類）、約０．１重量％〜約２０重量％の量の触媒（類）を含むさらなる機能的成分のそれぞれを含み得るか、それらからなり得るか、及び／または基本的にそれらからなり得る。
【０１１５】
組成物配合物
表面から汚れ、接着剤または合成糊残留物を除去するための組成物が、本発明に従って提供される。本発明のラベル除去組成物は、液体、固体（タブレット、粉末／粒状等）、（粉末及びタブレットを含む）ペースト、泡末またはゲルを含む、任意の好適な形式であり得る。ラベル除去組成物を用いる本発明及び方法によると、溶液が好ましい。組成物は、使用量単位ごとの製品の形式、すなわち、洗浄作業一回分のラベル除去組成物として使用されるように設計された形式であり得る。当然ながら、かかる一回分の１つ以上が洗浄作業に使用され得る。
【０１１６】
本発明に従ったラベル除去組成物は、濃縮組成物の形式で、またはすぐに使用できる組成物の形式で提供され得る。濃縮組成物は、濃縮物としてより簡易に称される場合があり、希釈されてすぐに使用できるラベル除去組成物を提供する場合もある。すぐに使用できる組成物は、本発明によると、処理が必要な表面に直接適用される組成物の場合、使用組成物と称され得る。ラベル除去組成物が、発送の目的のために濃縮物として提供され得ること、及び濃縮配合物としてラベル除去組成物を提供する経済性が、当業者に理解されるであろう。濃縮物は、希釈の現場または場所で入手可能な水で希釈される。ラベル除去組成物の濃縮物及びすぐに使用できる希釈物の両方は、本発明により包含される。
【０１１７】
本発明のラベル除去組成物は、その形式における任意の好適な方法に応じて作製され得る。ラベル除去組成物の好適な製造方法は、当該技術分野において公知である。
【０１１８】
洗浄及びラベル除去の方法
本発明のラベル除去組成物を用いる洗浄方法は、本発明の範囲に含まれる。ラベル除去組成物の使用は、ラベル除去を含む様々な瓶洗浄用途に特に好適である。有益にも、本発明の方法は、ラベル除去及び物品の洗浄のために必要な、化学組成物の全体的な費用を低減し、温度条件及び腐食性条件及び／または機械的効果を低減しながら、効率的かつ効果的なラベル除去を提供する。
【０１１９】
本発明に従った方法は、接着剤除去及び／または洗浄が必要な表面へラベル除去組成物を適用することを含み得るか、それらからなり得るか、及び／または基本的にそれらからなり得る。方法はさらに、処理済みの表面から粘着ラベルを除去することを含む。
【０１２０】
例えばガラス、金属、及びポリカーボネート、ポリ塩化ビニル、ポリエチレンテレフタレート（一般的にＰＥＴまたはＰＥＴＥと略される）、ポリエチレンナフタレート、ポリエチレン等のポリエステル、及び飲料及び食品容器への使用に適合可能なもの等の他の熱可塑性ポリマーを含むプラスチックを含む多様な硬質表面は、本発明に従った組成物で処理され得る。プラスチック容器は、例えば、ポリエチレンテレフタレートを含む任意数の材料から、用途に応じて作製され得る。好ましい態様では、ガラス表面は、接着剤及びラベルの除去に好ましい処理される表面である。
【０１２１】
本発明に従って処理される表面は、多様な用途に応じた形状に適合し得る多様な容器を含む。本明細書に記載のように、本発明は、主に瓶及び瓶の洗浄について言及しているが、多様なさらなる容器が本発明に従って処理され得、本発明の範囲に包含される。
【０１２２】
多様なラベルは、本発明の方法に従って除去され得る。好適なラベルは、任意の接着剤系ラベルを含む。接着剤系ラベルは、市販の回収可能なガラス瓶上に用いられるもの等、例えば、紙及び金属ラベル（例えばアルミニウム）の両方を含む。接着剤系ラベルは、合成及び／または天然接着剤を含み得る。合成接着剤の例としては、ポリアクリル酸接着剤またはポリカルボキシレートのポリマーが挙げられる。天然接着剤の例としては、カゼインまたはメラミンカゼインが挙げられる。好ましい態様では、金属または箔系ラベルは、本発明の方法及び組成物に従った除去に特に好適である。金属系または箔系ラベルは、ラベル除去組成物による浸透が困難なため、紙系ラベルに比較して除去が困難である。有益にも、本発明の方法及び組成物は、効果的なラベルコーティング及びラベル浸透をもたらす。
【０１２３】
本発明の一態様では、方法は、接着して適用され、日光に晒され続けたものを含むラベルの除去に特に好適である。日光に晒された後の、接着して適用されたラベルの除去は、非常に困難であり得る。有益にも、処理済みの瓶または表面からラベルを除去するステップは、ラベルそのものを破損することを含まない。
【０１２４】
発明の一態様では、ラベルの除去は、ラベル上にラベル除去組成物の層を形成し、次にラベルに浸透させてラベルの除去を実行するステップを含む。本発明の特定の理論に限定されることなく、ラベル除去組成物の溶剤は、表面にラベルを保持している接着剤を可溶化するように作用し、及び／または外側（例えばラベルの上部）からラベルに浸透しラベルに微細孔を生じ、ラベルに浸透して、次にラベルの接着剤成分を可溶化する。本発明のさらなる態様では、ラベルの接着剤層の不安定化を含む。
【０１２５】
さらなる態様では、本発明の方法に従って除去されるラベル自身が、溶解及び／またはパルプ化しない。除去されるラベルが無傷である結果、洗浄源から容易に回収可能である。有益にも、ラベルが溶解及び／またはパルプ化しないため、洗浄液中のラベル除去組成物は、延長された時間使用されることができ、廃棄源を最小限に抑えることができる。本発明の好ましい態様では、除去されるラベル自身が、接着剤をさらに保持する。
【０１２６】
本発明の一実施形態に従って、水性または非水性の塩基性有機溶剤及び／またはアミジンを含むラベル除去組成物は、除去及び／または洗浄が必要なラベルの表面へ適用される。組成物はまた、キレート剤、酸味剤、さらなる溶剤、界面活性剤、及び／または本発明の明細書に以下記述される他の機能的成分を含み得る。ラベル除去のための本発明の組成物は、そのまま使える（ＲＴＵ）溶液として、または使用溶液の調製のために希釈するための濃縮物として提供され得る。
【０１２７】
使用溶液は、所望のラベル除去特性及び接着剤除去特性を有する使用溶液を提供する希釈率で、濃縮物を水で希釈することにより濃縮物から調製され得る。典型的な希釈係数は、約１〜約１０，０００であるが、除去される接着剤の量及びタイプ、温度を含む要因等に依存するであろう。一実施形態では、濃縮物は、水に対する濃縮物の約１：５〜約１：１，０００の比で希釈される。特に、濃縮物は、約１：５〜約１：１００の比で希釈される。
【０１２８】
いくつかの態様では、ラベル除去組成物は、約０．０１重量％〜約５０重量％、好ましくは約０．１重量％〜約３０重量％、より好ましくは約０．６重量％〜約１０重量％の量で水溶液に提供される。さらに、当業者は、開始時の濃縮ラベル除去組成物の初期濃度及びその所望の使用用途に応じて、本発明に従って濃縮ラベル除去組成物の量を変化させてもよい。本発明の範囲を限定することなく、引用される範囲は、範囲を定義する数字を含み、定義された範囲内の各整数を含む。
【０１２９】
本発明の実施形態によると、洗浄方法は、ラベル除去プロセス及び／または瓶洗浄プロセス中のアルカリｐＨ範囲下でラベル除去組成物を適用することを含む。例えば、アルカリ性ｐＨは、約９〜約１４、好ましくは約１０〜約１４、より好ましくは、例えば、９〜１０、９〜１１、９〜１２、９〜１３、９〜１４、１０〜１１、１０〜１２、１０〜１３、１０〜１４、１１〜１２、１１〜１３、１１〜１４、１２〜１３〜、１２〜１４、または１３〜１４等、約１２〜約１４であり得る。本発明の範囲を限定することなく、引用される範囲は、範囲を定義する数字を含み、定義された範囲内の各整数を含む。本発明の態様では、腐食剤系組成物を用いる、及び／または量を低減することなく、及び／または高温を必要とせず、アルカリｐＨで、本方法に従ってラベル除去組成物が粘着ラベルを除去することは予想外である。当業者であれば理解されるように、粘着ラベル除去は、従来、腐食性溶液を使用してアルカリｐＨでのみ達成される。
【０１３０】
ラベル除去組成物の使用方法によると、ラベル除去組成物いずれかの好適な条件または温度下での使用に好適である。一態様では、ラベル除去は、従来のラベル除去方法と比較してより低い温度条件下で行われる。例えば、方法は、ガラスラベル除去及び／または洗浄の従来の温度範囲、約８５℃未満の温度でのラベル除去組成物の使用を含み得る。いくつかの実施形態では、ラベル除去組成物は、例えば、約３０℃〜３５℃、３５℃〜４０℃、４０℃〜４５℃、４５℃〜５０℃、５０℃〜５５℃、５５℃〜６０℃、またはその間の任意の範囲の、３０℃〜約６０℃、約３５℃〜約６０℃、約４０℃〜約６０℃、約４５℃〜約６０℃、約５０℃〜約６０℃、または約５５℃〜約６０℃の範囲の温度で、ラベル及び／または接着剤の除去が必要な（瓶等の）表面と接触するように構成される。本発明の範囲を限定することなく、引用される範囲は、範囲を定義する数字を含み、定義された範囲内の各整数を含む。
【０１３１】
有益なことに、瓶ラベルを除去するための本発明に従った洗浄方法は、従来の瓶除去方法を上回る時間の増加を一切必要としない。意外なことに、低温の使用ならびに洗浄組成物の非腐食剤及び／または低減された腐食剤の濃度にもかかわらず、ラベル除去方法は、時間の増加を必要としない。いくつかの態様では、本発明の方法は、高温及び／またはより腐食性のラベル除去組成物を用いる従来の瓶除去方法よりも短い時間で、完全なラベル除去を達成する。本発明の特定の理論に限定されることなく、ラベル除去組成物は、より速いラベルへの浸透及び糊の可溶化を提供した。例えば、ラベル除去組成物は、例えば約３０分未満、約２５分、２０分、１５分、１０分、または５分未満等の、約３０分未満、または好ましくは、約１５分未満での除去を提供する。一態様では、ラベル除去組成物は、例えば約２時間未満、１時間、６０分、５０分、４５分、４０分、３５分、３０分、２５分、２０分、１５分、１０分または５分未満等の、約２時間未満、または好ましくは、約６０分未満での除去を提供する。
【０１３２】
ラベル除去組成物を用いる本発明に従ったラベル除去方法は、タンク腐食剤洗浄後、瓶洗浄プロセスのライン下流の設備（例えば低温殺菌器）、洗浄区画、または任意の他の領域の後、適用されてもよい。好ましくは、ラベル除去組成物は、瓶洗浄機洗浄タンクに、好ましくは、弱腐食剤溶液の使用に適用される。本発明の代替的実施形態によると、洗浄方法は、瓶充填ライン、トンネル低温殺菌水及び／または瓶洗浄機のすすぎ区画へラベル除去組成物を適用することを含む。
【０１３３】
ラベル除去組成物の適用方法は、手動による適用、手作業による洗浄設備を使用する適用、及び／または機械的機能の補助を用いるかまたは用いない自動洗浄設備を含み得る。
【０１３４】
当業者であれば理解されるように、画一的な設定では、自動洗浄プロセスを介する瓶運搬に最もよく使用される機械は、予備すすぎまたは浸漬、すすぎ、洗浄、及び最終すすぎ等の様々な区域を含む。
【０１３５】
本発明の方法は、低圧の非接触洗浄方法、ラベル除去組成物の高圧スクラブ用途、低圧または高圧流体を用いる摩擦洗浄用途、「非接触」及び摩擦タイプの洗浄における予備浸漬洗浄、定置洗浄（閉鎖環境）システム、または当該技術分野で既知の洗浄方式の任意の変更形態で実践され得る。
【０１３６】
本明細書中の全ての出版物及び特許出願は、本発明に関連する当該技術分野における通常のレベルを示す。全ての出版物及び特許出願は、それぞれ個々の出版物または特許出願が参照により具体的に及び個別に示されるものと同程度に、本明細書に参照により組み込まれる。
【実施例】
【０１３７】
本発明の実施形態を、以下の非限定的な実施例においてさらに定義する。これらの実施例は、本発明の特定の実施形態を示してはいるが、単に例証として付与されることが理解されるべきである。上記の考察及びこれらの実施例から、当業者は、本発明の本質的な特徴を確認し得、その精神及び範囲から逸脱することなく、様々な利用法及び条件にそれを適合するために本発明の実施形態の様々な変更及び修正を行い得る。したがって、本発明の実施形態の様々な修正は、本明細書に図示及び説明されるものに加えて、前述の説明から当業者に明らかとなろう。かかる修正はまた、添付の特許請求の範囲にあることを目的とする。
【０１３８】
以下の実施例に使用される材料は、本明細書では以下の条件とする。様々な市販の原液が、キシレンスルホン酸ナトリウムを含む（４０％）配合物（様々な供給源から入手可能である）に用いられた。
【０１３９】
ＤＢＵ：１，８−ジアザビシクロ［５．４．０］ウンデカ−７−エンは、アミジン化合物の部類に属し、Ａｉｒ  Ｐｒｏｄｕｃｔｓ  ａｎｄ  Ｃｈｅｍｉｃａｌｓ，Ｉｎｃ．（Ａｌｌｅｎｔｏｗｎ，ＰＡ）より入手可能な触媒、錯化配位子、及び非求核性塩基として有機合成に使用される。
【０１４０】
Ｓｔｅｐｏｓｏｌ  ＭＥＴ−１０Ｕ：Ｎ，Ｎ−ジメチル−９−デカンアミドは、Ｓｔｅｐａｎ  Ｃｏｍｐａｎｙ（Ｎｏｒｔｈｆｉｅｌｄ，ＩＬ）より入手可能な非イオン性溶剤界面活性剤である。
【０１４１】
Ｍａｋｏｎ  ＮＦ−５：オキシラン、２−メチル−、オキシランモノ［２−［（オキソオクチル）アミオン］メチル及びモノイソプロパノールアミドアルコキシレートのポリマーは、Ｓｔｅｐａｎ  Ｃｏｍｐａｎｙ（Ｎｏｒｔｈｆｉｅｌｄ，Ｉｌｌ．）より入手可能な非イオン性界面活性剤である。
【０１４２】
ＢＩＯ−ＳＯＦＴ  Ｓ−１０１：アルキルベンゼンスルホン酸（Ｃ１０−Ｃ１６）は、Ｓｔｅｐａｎ  Ｃｏｍｐａｎｙ（Ｎｏｒｔｈｆｉｅｌｄ，Ｉｌｌ．）より入手可能な、生分解可能な界面活性剤中間体である。
【０１４３】
Ｄ−リモネン：環状テルペンは、Ｏｒｉｃａ  Ａｕｓｔｒａｌｉａ  Ｐｔｙ  Ｌｔｄ．（Ｍｅｌｂｏｕｒｎｅ，Ａｕｓｔｒａｌｉａ）より入手可能な生分解可能な洗浄溶剤である。
【０１４４】
実施例１
様々な実験溶剤配合物を、商業用ガラス瓶に使用される箔コートラベルをコートする、及びそれに浸透する能力を分析した。配合３１−１、３１−２、３１−３、及び３１−５を分析のために調製した。具体的には、Ｃｒｉｓｔａｌのラベルを４０ｍＬバイアル瓶に設置し、表３Ａ及び３Ｂに提供された実験配合物に浸漬した。箔ラベルを、実験配合物に晒して、場合により手で撹拌／振盪し、室温に維持した。ラベルコーティングを溶解するためのそれぞれの実験配合物の有効性を判定するために２時間以上目視により分析した。
【表３Ａ】
2020179940.tif 000010
【表３Ｂ】
2020179940.tif 000011
試験された実験配合物は、未処理のラベル（図１Ａ、中央）と比較して見られ得るように、箔コートラベルのコーティング及び浸透に、及びそのラベルコーティングの溶解に効果的である。試験された配合は、１５分以内にコーティングを除去し始め、コーティングのほとんどは２時間以内に除去された。図１Ａに見られ得るように、非水性溶剤（３１−１、３１−２、及び３１−３）及び水性溶剤（３１−５）の両方は、ラベルコーティングの除去に予想以上に良好な性能を示した。特に、ほとんど７０％の水を含有する配合３１−５（図１Ａ、右下）は、コーティング除去に優れた可能性を示し、配合３１−１〜３１−３よりも幾分侵襲性が低かった。具体的には、配合３１−１は、ラベル上のコーティング全体の除去に最も侵襲性であり、それぞれ３１−２、３１−３、及び３１−５が続いた（図１Ａ）。この予想以上に良好な性能は、有機塩基、ＤＢＵ（１，８−ジアザビシクロ［５．４．０］ウンデカ−７−エン）の存在に起因する。
【０１４５】
さらに、水性溶剤配合物、３１−５の、さらなる箔コートラベルのコーティング及び浸透の能力を試験した。この実験を、同じ４０ｍＬバイアル瓶に２つのラベル、箔コートＨｅｉｎｅｋｅｎのラベルを同時に添加したことを除いて、上述のように実行した。図１Ｂ（右）に見られ得るように、箔コーティングは、未処理ラベル（図１Ｂ、左）と比較して、配合３１−５により、容易に除去された。図１Ｃは、上述のＣｒｉｓｔａｌ及びＨｅｉｎｅｋｅｎの瓶ラベル実験評価後の実験配合残留物を示す。図１Ｃに見られ得るように、インク残留物及び残存している箔系コーティング粒子が、残存している溶剤内で溶解されていることが観察される。上述の実験結果は、ガラス瓶のラベリングに使用されるもの等の、ラベル上の箔コーティングへの浸透及び除去に、試験された配合が効率的であることを示す。
【０１４６】
実施例２
さらなる実験溶剤配合を、箔ラベル及び接着剤材料をガラス瓶の首から除去するそれらの能力を試験した。配合４２−１及び４２−２を分析のために調製した。配合４２−１は、３１−６を作り変えたものであり、上に示される３１−５と組成的に類似していた。配合４２−２は、４２−１に再付着防止剤を含ませた修正物である。両方の溶液を、腐食剤を含まないそのままで使用した。これらの実験のため、１２０ｍＬの実験溶液をビーカに設置し、時間をかけてラベルの付いたガラス瓶を浸漬するために使用した。詳細には、Ｂｅｃｋ’ｓのビール瓶を反転させ、図２Ｂに見られ得るように、ＤＢＵ系の配合４２−１または４２−２（表４）を含有するビーカに設置して、首の箔ラベル及び接着剤材料を浸漬した。試験を４５℃（１１３°Ｆ）で行い、６０分後、瓶を溶液から取り出した。目視による評価を、６０分の時間枠にわたり行い、それぞれの溶液のラベル及び接着剤材料に浸透及び除去する効率を分析した。６０分後、瓶を溶液から取り出し、水道水の緩やかな流れですすいだ。
【表４】
2020179940.tif 000012
【０１４７】
図２Ｃに見られ得るように、両方の実験溶液は、首の箔ラベル及び接着剤材料をガラス瓶から除去することに効率的であった。ラベルは、継ぎ目／重なりにおいて約５分で分離を始め、首の箔ラベルのコーティングは３０分以内に除去された。両方のラベルは、糊残留物／接着剤が瓶上に依然存在した状態で、容易にすすぎ落された。残存している接着剤は、拭き取り可能なほど十分に柔軟であった。
【０１４８】
これらの実験のＢｒａｈｖａ  Ｂｅａｔｓのラベルがつけられた瓶を１０分間５０〜６０℃（１２２〜１４０°Ｆ）で浸漬したことを除き、上述と同じ手順を使用して、配合４２−１及び４２−２を用いてこれらを実験するために、さらなる実験を行った。これらの実験結果は、図３Ａ〜３Ｃに見られ得る。図３Ｃに見られ得るように、両方のラベルは、瓶上に目視可能な接着剤の痕跡は全くなく、瓶から容易に分離された。さらに、Ｃｏｏｒｓ  Ｌｉｇｈｔのラベルがつけられた瓶を、配合４２−１を用いて、５０〜６０℃（１２２〜１４０°Ｆ）で浸漬した。実験手順及び結果を、図４Ａ〜４Ｄに示す。図３Ｃに示される結果と一致して、インク及び積層コーティングがおよそ１．２５分で剥がれ始め、ラベルが４．７５分で除去されたことから、配合４２−１は効果的な溶剤溶液であることを示した（図４Ｃ〜４Ｄ）。最後に、Ｃｏｏｒｓ  Ｌｉｇｈｔのラベルがつけられた瓶を、配合４２−２を用いて、５５〜６５℃（１３１〜１４９°Ｆ）で浸漬し、結果を図５Ａ〜５Ｂに示す。配合４２−１の結果と同様に、インク及び積層コーティングがおよそ１分で剥がれ始め、ラベルが３．２５分で除去されたことから、配合４２−２は効果的な溶剤溶液であることを示した。
【０１４９】
実施例３
さらなる首の箔ラベル除去実験を、実施例２に記載のものと同様の様式で行った。配合３８−１、３８−２、３８−３、及び３８−４を、分析のため調製した（表５）。配合３８−１（Ｓｔａｂｉｌｏｎ  ＢＰＵ）及び３８−３（Ｓｔａｂｉｌｏｎ  ＷＴＮ）を、比較配合物として使用し、これらは瓶洗浄に一般的に使用される。配合３８−１及び３８−２は、それぞれ３８−１及び３８−３を作り変えたものであり、ＤＢＵを含む。除去及び暖かい水道水の緩やかな流れですすぐ前に２分間５０〜６０℃（１２２〜１４０°Ｆ）でラベルを浸漬したことを除き、Ｂｒａｈｖａ  Ｂｅａｔｓのラベルがつけられた瓶を使用して、上述のように試験を実行した。
【表５】
2020179940.tif 000013
【０１５０】
図６Ｂに示される、４つ全てのラベルは、目視可能な接着剤残留物は全くなく、この時間枠で除去された。これらの結果は、一般的に使用される瓶洗浄配合物と比較する際、本発明の例示的な溶剤配合物が瓶の首のラベル及び接着剤の除去に効率的であることを示す。
【０１５１】
実施例４
さらなるラベル除去試験を行い、さらなる実験的配合を評価した。配合４９−１（ＤＢＵ系、Ｓｔｅｐｏｓｏｌ  ＭＥＴ−１０Ｕなし）、及び４９−２（ＤＢＵ及びＧｌｕｃｏｐｏｎ  ４２５Ｎ系）（表６）を調製し、それぞれの溶液１２０ｍＬをそのままでビーカに添加した。Ｂｅｃｋ’ｓのビール瓶を反転させ、ビーカに設置して、撹拌せずに１０分間５０〜６０℃（１２２〜１４０°Ｆ）で首のラベルを浸漬した。
【表６】
2020179940.tif 000014
【０１５２】
図７Ａ〜７Ｂは、ラベル除去における変更可能な効率を示す。配合４９−１及び４９−２は、いくらか糊残留物が残存している状態でラベルを除去した。
【０１５３】
実施例５
さらなるラベル除去試験を行い、さらなる実験配合を評価した。瓶を反転させ、ビーカに設置して、撹拌せずに６分間６０℃（１４０°Ｆ）で首のラベルを浸漬し、それぞれの配合物のラベル除去時間を記録した。配合５０−１、５０−２、５０−３、５０−４、５０−５、及び５０−６を、分析のために調製した（表７）。Ｂｅｃｋ’ｓのビール瓶をビーカに設置して、撹拌せずに６分間６０℃（１２２〜１４０°Ｆ）でラベルを浸漬した。
【表７】
2020179940.tif 000015
図８は、洗浄前のそれぞれの配合の瓶を示す。浸漬後の結果を示す図９と比較して、配合５０−１及び５０−２は、ラベル残留物が残存した配合５０−３よりも良好に実行した。さらに、結果を表８に要約する。
【表８】
2020179940.tif 000016
【０１５４】
表８ならびに図８及び９に示されるように、本発明に従った配合物は、配合５０−３、すなわち腐食剤のみの組成物と比較して、優れた糊及び枠の除去を提供した。さらに、ＤＢＵの存在下で低減された腐食剤を有する配合５０−４は、腐食剤のみの配合物と比較して優れた除去を提供する。
【０１５５】
本発明はこのように記載され、同じものが多くの方式で変更され得ることは明らかであろう。かかる変動は、本発明の精神及び範囲からの逸脱と見なされるべきではなく、全てのかかる修正は、以下の特許請求の範囲の範疇に含まれることが意図される。
【図１Ａ】
2020179940.tif 000021
【図１Ｂ】
2020179940.tif 000022
【図１Ｃ】
2020179940.tif 000023
【図２Ａ】
2020179940.tif 000024
【図２Ｂ】
2020179940.tif 000025
【図２Ｃ】
2020179940.tif 000026
【図３Ａ】
2020179940.tif 000027
【図３Ｂ】
2020179940.tif 000028
【図３Ｃ】
2020179940.tif 000029
【図４Ａ】
2020179940.tif 000030
【図４Ｂ】
2020179940.tif 000031
【図４Ｃ】
2020179940.tif 000032
【図４Ｄ】
2020179940.tif 000033
【図５Ａ】
2020179940.tif 000034
【図５Ｂ】
2020179940.tif 000035
【図６Ａ】
2020179940.tif 000036
【図６Ｂ】
2020179940.tif 000037
【図７Ａ】
2020179940.tif 000038
【図７Ｂ】
2020179940.tif 000039
【図８】
2020179940.tif 000040
【図９】
2020179940.tif 000041
【手続補正書】
【提出日】令和2年6月23日(2020.6.23)
【手続補正１】
【補正対象書類名】明細書
【補正対象項目名】０１５５
【補正方法】変更
【補正の内容】
【０１５５】
本発明はこのように記載され、同じものが多くの方式で変更され得ることは明らかであろう。かかる変動は、本発明の精神及び範囲からの逸脱と見なされるべきではなく、全てのかかる修正は、以下の特許請求の範囲の範疇に含まれることが意図される。
以下の項目［１］〜［５４］に、本発明の実施形態の例を列記する。
［１］
表面から汚れ、ラベル、及び他の接着剤材料を除去するための方法であって、前記方法は、
接着剤材料を除去する必要のある表面へラベル除去組成物を適用することであって、前記ラベル除去組成物が、水性または非水性の塩基性有機溶媒及び／またはアミジン溶媒、界面活性剤を含み、前記組成物は水酸化ナトリウムを含まない、ことと、
前記表面から前記汚れ、ラベル、及び他の接着剤材料を約６０分未満の時間内で除去することと、を含み、
前記ラベル除去組成物の温度が、約８０℃未満であり、
前記ラベル除去組成物のｐＨが、約１０〜約１４である、方法。
［２］
前記ラベル除去組成物のｐＨが、約１２〜約１４である、項目１に記載の方法。
［３］
前記ラベル除去組成物の温度が、約５０℃〜約６０℃である、項目１又は２に記載の方法。
［４］
前記ラベル除去組成物の温度が、約５０℃〜約６０℃であり、約３０分未満の時間内で前記汚れ、ラベル、及び他の接着剤材料を除去する、項目１〜３のいずれか一項に記載の方法。
［５］
前記水性塩基性有機溶媒及び／またはアミジン溶媒が、前記ラベル除去組成物の約７０重量％未満の量で水をさらに含む、項目１〜４のいずれか一項に記載の方法。
［６］
前記アミジン溶媒が、以下の構造を有する、１，８−ジアザビシクロ［５．４．０］ウンデカ−７−エンを含む、項目１〜５のいずれか一項に記載の方法。
【化１】
2020179940.tif 000042
［７］
前記水性または非水性の塩基性有機溶媒が、アミン及び／またはアミド溶媒を含む、項目１〜６のいずれか一項に記載の方法。
［８］
前記溶媒が、脂肪族ジアルキルアミド、脂肪族アミドアミン、及び／または脂肪族エステルアミンである、項目７に記載の方法。
［９］
前記溶媒が、一般的構造：
Ｒ１−ＣＯ−Ｘｍ−Ａｎ−ＮＲ２Ｒ３
を有し、式中、Ｒ１が、直鎖状または分岐鎖状の、飽和または不飽和であるＣ９〜Ｃ１６鎖であり、ＸがＯまたはＮＨであり、ＡがＣ２〜Ｃ８アルキレンであり、ｍが０または１であり、ｎが０または１であり、Ｒ２及びＲ３が同じかまたは異なるＣ１〜Ｃ６アルキルである、項目８に記載の方法。
［１０］
前記界面活性剤が、アニオン性界面活性剤及び／または非イオン性界面活性剤であり、任意選択的に１つ又は複数の任意の更なる機能成分をさらに含む、項目１〜９のいずれか一項に記載の方法。
［１１］
前記ラベル除去組成物が、前記表面に対する洗浄性能を全く損なうことなく、及び／または洗浄システム内にパルプ化または他の残留物を全く生じることなく、天然及び／または合成接着剤を含む前記接着剤材料、ならびに金属ラベルを含む前記ラベルを、実質的にまたは完全に除去する、項目１〜１０のいずれか一項に記載の方法。
［１２］
前記組成物のｐＨが、約１２〜約１４であり、約０．１重量％〜約１５重量％の量の水性塩基性有機溶媒と、約１０重量％〜約７０重量％の量の水と、約５重量％〜約２０重量％の量のアミジン溶媒と、約５重量％〜約４０重量％の量の少なくとも１つの界面活性剤と、を含む、項目１〜１１のいずれか一項に記載の方法。
［１３］
前記組成物のｐＨが、約１２〜約１４であり、約１０重量％〜約５０重量％の量の非水性塩基性有機溶媒と、約４０重量％〜約７０重量％の量のアミジン溶媒と、約５重量％〜約２５重量％の量の少なくとも１つの界面活性剤と、を含む、項目１〜１１のいずれか一項に記載の方法。
［１４］
硬質表面から汚れ、ラベル、及び他の接着剤材料を除去するための組成物であって、前記組成物は、
水性または非水性の塩基性有機溶媒及び／またはアミジン溶媒と、
少なくとも１つの界面活性剤と、を含み、
前記組成物が、水酸化ナトリウムを含まず、
前記組成物のｐＨが、約１０〜約１４である、組成物。
［１５］
前記組成物のｐＨが、約１２〜約１４である、項目１４に記載の組成物。
［１６］
前記アミジン溶媒が、以下の構造を有する、１，８−ジアザビシクロ［５．４．０］ウンデカ−７−エンを含む、項目１４又は１５に記載の組成物。
【化２】
2020179940.tif 000043
［１７］
前記水性または非水性の塩基性有機溶媒が、アミン及び／またはアミド溶媒を含む、項目１４〜１６のいずれか一項に記載の組成物。
［１８］
前記溶媒が、脂肪族ジアルキルアミド、脂肪族アミドアミン、及び／または脂肪族エステルアミンである、項目１７に記載の組成物。
［１９］
前記溶媒が、一般的構造：
Ｒ１−ＣＯ−Ｘｍ−Ａｎ−ＮＲ２Ｒ３
を有し、式中、Ｒ１が、直鎖状または分岐鎖状の、飽和または不飽和であるＣ９〜Ｃ１６鎖であり、ＸがＯまたはＮＨであり、ＡがＣ２〜Ｃ８アルキレンであり、ｍが０または１であり、ｎが０または１であり、Ｒ２及びＲ３が同じかまたは異なるＣ１〜Ｃ６アルキルである、項目１８に記載の組成物。
［２０］
前記界面活性剤が、アニオン性界面活性剤及び／または非イオン性界面活性剤である、項目１４〜１９のいずれか一項に記載の組成物。
［２１］
前記界面活性剤が、アルキルスルホネート、及び／またはアルコキシル化界面活性剤を含む、項目２０に記載の組成物。
［２２］
消泡剤、湿潤剤、すすぎ補助剤、触媒、腐食防止剤、及びそれらの組み合わせからなる群から選択された、少なくとも１つの瓶洗浄添加剤をさらに含む、項目１４〜２１のいずれか一項に記載の組成物。
［２３］
前記組成物のｐＨが、約１２〜約１４であり、約０．１重量％〜約１５重量％の量の水性塩基性有機溶媒と、約１０重量％〜約７０重量％の量の水と、約５重量％〜約２０重量％の量のアミジン溶媒と、約５重量％〜約４０重量％の量の少なくとも１つの界面活性剤と、を含む、項目１４〜２２のいずれか一項に記載の組成物。
［２４］
前記組成物のｐＨが、約１２〜約１４であり、約１０重量％〜約５０重量％の量の非水性塩基性有機溶媒と、約４０重量％〜約７０重量％の量のアミジン溶媒と、約５重量％〜約２５重量％の量の少なくとも１つの界面活性剤と、を含む、項目１４〜２２のいずれか一項に記載の組成物。
［２５］
前記水性塩基性有機溶媒及び／またはアミジン溶媒が、前記組成物の約７０重量％未満の量で水をさらに含む、項目１４〜２２のいずれか一項に記載の組成物。
［２６］
ヒドロトロープをさらに含む、項目１４〜２５のいずれか一項に記載の組成物。
［２７］
前記ヒドロトロープが、芳香族スルホネート材料である、項目２６に記載の組成物。
［２８］
表面から汚れ、ラベル、及び他の接着剤材料を除去するための方法であって、前記方法は、
接着剤材料を除去する必要のある表面へラベル除去組成物を適用することであって、前記ラベル除去組成物が、水性または非水性塩基性有機溶媒及び／またはアミジン溶媒、界面活性剤を含み、前記組成物が約０重量％〜約２重量％の量の腐食剤を含有する、組成物を適用することと、
約６０分未満の時間内で前記表面から前記汚れ、ラベル、及び他の接着剤材料を除去することと、を含み、
前記ラベル除去組成物の温度が、約８０℃未満であり、
前記ラベル除去組成物のｐＨが、約１０〜約１４である、方法。
［２９］
前記ラベル除去組成物のｐＨが、約１２〜約１４である、項目２８に記載の方法。
［３０］
前記ラベル除去組成物の温度が、約５０℃〜約６０℃である、項目２８又は２９に記載の方法。
［３１］
前記ラベル除去組成物の温度が、約５０℃〜約６０℃であり、約３０分未満の時間内で前記汚れ、ラベル、及び他の接着剤材料を除去する、項目２８〜３０のいずれか一項に記載の方法。
［３２］
前記水性塩基性有機溶媒及び／またはアミジン溶媒が、前記ラベル除去組成物の約７０重量％未満の量で水をさらに含む、項目２８〜３１のいずれか一項に記載の方法。
［３３］
前記アミジン溶媒が、以下の構造を有する、１，８−ジアザビシクロ［５．４．０］ウンデカ−７−エンを含む、項目２８〜３２のいずれか一項に記載の方法。
【化３】
2020179940.tif 000044
［３４］
前記水性または非水性塩基性有機溶媒が、アミン及び／またはアミド溶媒を含む、項目２８〜３３のいずれか一項に記載の方法。
［３５］
前記溶媒が、脂肪族ジアルキルアミド、脂肪族アミドアミン、及び／または脂肪族エステルアミンである、項目３４に記載の方法。
［３６］
前記溶媒が、一般的構造：
Ｒ１−ＣＯ−Ｘｍ−Ａｎ−ＮＲ２Ｒ３
を有し、式中、Ｒ１が、直鎖状または分岐鎖状の、飽和または不飽和であるＣ９〜Ｃ１６鎖であり、ＸがＯまたはＮＨであり、ＡがＣ２〜Ｃ８アルキレンであり、ｍが０または１であり、ｎが０または１であり、Ｒ２及びＲ３が同じかまたは異なるＣ１〜Ｃ６アルキルである、項目３５に記載の方法。
［３７］
前記界面活性剤が、アニオン性界面活性剤及び／または非イオン性界面活性剤であり、任意選択的に１つ又は複数の任意の更なる機能成分をさらに含む、項目２８〜３６のいずれか一項に記載の方法。
［３８］
前記ラベル除去組成物が、前記表面への洗浄性能を全く損なうことなく、及び／または洗浄システム内にパルピングまたは他の残留物を全く生じることなく、天然及び／または合成接着剤を含む前記接着剤材料、ならびに金属ラベルを含む前記ラベルを、実質的にまたは完全に除去する、項目２８〜３７のいずれか一項に記載の方法。
［３９］
前記組成物のｐＨが、約１２〜約１４であり、約０．１重量％〜約１５重量％の量の水性塩基性有機溶媒と、約１０重量％〜約７０重量％の量の水と、約５重量％〜約２０重量％の量のアミジン溶媒と、約５重量％〜約４０重量％の量の少なくとも１つの界面活性剤と、を含む、項目２８〜３８のいずれか一項に記載の方法。
［４０］
前記組成物のｐＨが、約１２〜約１４であり、約１０重量％〜約５０重量％の量の非水性塩基性有機溶媒と、約４０重量％〜約７０重量％の量のアミジン溶媒と、約５重量％〜約２５重量％の量の少なくとも１つの界面活性剤と、を含む、項目２８〜３８のいずれか一項に記載の方法。
［４１］
硬質な表面から汚れ、ラベル、及び他の接着剤材料を除去するための組成物であって、前記組成物は、
水性または非水性塩基性有機溶媒及び／またはアミジン溶媒と、
少なくとも１つの界面活性剤と、を含み、
前記組成物が、約０重量％〜約２重量％の量の腐食剤を含有し、
前記組成物のｐＨが、約１０〜約１４である、組成物。
［４２］
前記組成物のｐＨが、約１２〜約１４である、項目４１に記載の組成物。
［４３］
前記アミジン溶媒が、以下の構造を有する、１，８−ジアザビシクロ［５．４．０］ウンデカ−７−エンを含む、項目４１又は４２に記載の組成物。
【化４】
2020179940.tif 000045
［４４］
前記水性または非水性塩基性有機溶媒が、アミン及び／またはアミド溶媒を含む、項目４１〜４３のいずれか一項に記載の組成物。
［４５］
前記溶媒が、脂肪族ジアルキルアミド、脂肪族アミドアミン、及び／または脂肪族エステルアミンである、項目４４に記載の組成物。
［４６］
前記溶媒が、一般的構造：
Ｒ１−ＣＯ−Ｘｍ−Ａｎ−ＮＲ２Ｒ３
を有し、式中、Ｒ１が、直鎖状または分岐鎖状の、飽和または不飽和であるＣ９〜Ｃ１６鎖であり、ＸがＯまたはＮＨであり、ＡがＣ２〜Ｃ８アルキレンであり、ｍが０または１であり、ｎが０または１であり、Ｒ２及びＲ３が同じかまたは異なるＣ１〜Ｃ６アルキルである、項目４５に記載の組成物。
［４７］
前記界面活性剤が、アニオン性界面活性剤及び／または非イオン性界面活性剤である、項目４１〜４６のいずれか一項に記載の組成物。
［４８］
前記界面活性剤が、アルキルスルホネート、及び／またはアルコキシル化界面活性剤を含む、項目４７に記載の組成物。
［４９］
消泡剤、湿潤剤、すすぎ補助剤、触媒、腐食防止剤、及びそれらの組み合わせからなる群から選択された、少なくとも１つの瓶洗浄添加剤をさらに含む、項目４１〜４８のいずれか一項に記載の組成物。
［５０］
前記組成物のｐＨが、約１２〜約１４であり、約０．１重量％〜約１５重量％の量の水性塩基性有機溶媒と、約１０重量％〜約７０重量％の量の水と、約５重量％〜約２０重量％の量のアミジン溶媒と、約５重量％〜約４０重量％の量の少なくとも１つの界面活性剤と、を含む、項目４１〜４９のいずれか一項に記載の組成物。
［５１］
前記組成物のｐＨが、約１２〜約１４であり、約１０重量％〜約５０重量％の量の非水性塩基性有機溶媒と、約４０重量％〜約７０重量％の量のアミジン溶媒と、約５重量％〜約２５重量％の量の少なくとも１つの界面活性剤と、を含む、項目４１〜４９のいずれか一項に記載の組成物。
［５２］
前記水性塩基性有機溶媒及び／またはアミジン溶媒が、前記組成物の約７０重量％未満の量で水をさらに含む、項目４１〜４９のいずれか一項に記載の組成物。
［５３］
ヒドロトロープをさらに含む、項目４１〜５２のいずれか一項に記載の組成物。
［５４］
前記ヒドロトロープが、芳香族スルホネート材料である、項目５３に記載の組成物。
【手続補正２】
【補正対象書類名】特許請求の範囲
【補正対象項目名】全文
【補正方法】変更
【補正の内容】
【特許請求の範囲】
【請求項１】
表面から汚れ、ラベル、及び他の接着剤材料を除去するための方法であって、前記方法は、
接着剤材料を除去する必要のある表面へラベル除去組成物を適用することであって、前記ラベル除去組成物が、アミン及び／またはアミド溶媒を含む水性または非水性塩基性有機溶媒、及び／またはアミジン溶媒、アニオン性界面活性剤及び／または非イオン性界面活性剤を含む少なくとも１つの界面活性剤を含み、前記組成物が約０重量％〜約２重量％の量の腐食剤を含有する、組成物を適用することと、
約６０分未満の時間内で前記表面から前記汚れ、ラベル、及び他の接着剤材料を除去することと、を含み、
前記除去は、洗浄システム内にパルピングまたは他の残留物を全く生じることなく、天然及び／または合成接着剤を含む前記接着剤材料、ならびに金属ラベルを含む前記ラベルを、実質的にまたは完全に除去し、
前記ラベル除去組成物の温度が、約８０℃未満であり、
前記ラベル除去組成物のｐＨが、約１０〜約１４である、方法。
【請求項２】
前記ラベル除去組成物の温度が、約５０℃〜約６０℃であり、約３０分未満の時間内で前記汚れ、ラベル、及び他の接着剤材料を除去する、請求項１に記載の方法。
【請求項３】
前記水性塩基性有機溶媒及び／または前記アミジン溶媒が、前記ラベル除去組成物の約７０重量％未満の量で水をさらに含む、請求項１又は２に記載の方法。
【請求項４】
前記アミジン溶媒が、以下の構造を有する、１，８−ジアザビシクロ［５．４．０］ウンデカ−７−エンを含む、請求項１〜３のいずれか一項に記載の方法。
【化３】
2020179940.tif 000046
【請求項５】
前記水性または非水性塩基性有機溶媒が、脂肪族ジアルキルアミド、脂肪族アミドアミン、及び／または脂肪族エステルアミンである、請求項１〜４のいずれか一項に記載の方法。
【請求項６】
前記溶媒が、一般的構造：
Ｒ１−ＣＯ−Ｘｍ−Ａｎ−ＮＲ２Ｒ３
を有し、式中、Ｒ１が、直鎖状または分岐鎖状の、飽和または不飽和であるＣ９〜Ｃ１６鎖であり、ＸがＯまたはＮＨであり、ＡがＣ２〜Ｃ８アルキレンであり、ｍが０または１であり、ｎが０または１であり、Ｒ２及びＲ３が同じかまたは異なるＣ１〜Ｃ６アルキルである、請求項５に記載の方法。
【請求項７】
前記界面活性剤が、任意選択的に１つ又は複数の任意の更なる機能成分をさらに含む、請求項１〜６のいずれか一項に記載の方法。
【請求項８】
前記組成物のｐＨが、約１２〜約１４であり、約０．１重量％〜約１５重量％の量の水性塩基性有機溶媒と、約１０重量％〜約７０重量％の量の水と、約５重量％〜約２０重量％の量のアミジン溶媒と、約５重量％〜約４０重量％の量の少なくとも１つの界面活性剤と、を含む、請求項１〜７のいずれか一項に記載の方法。
【請求項９】
前記組成物のｐＨが、約１２〜約１４であり、約１０重量％〜約５０重量％の量の非水性塩基性有機溶媒と、約４０重量％〜約７０重量％の量のアミジン溶媒と、約５重量％〜約２５重量％の量の少なくとも１つの界面活性剤と、を含む、請求項１〜７のいずれか一項に記載の方法。
【請求項１０】
硬質な表面から汚れ、ラベル、及び他の接着剤材料を除去するための組成物であって、前記組成物は、
アミン及び／またはアミド溶媒を含む水性または非水性塩基性有機溶媒、及び／またはアミジン溶媒と、
アニオン性界面活性剤及び／または非イオン性界面活性剤を含む少なくとも１つの界面活性剤と、を含み、
前記組成物が、約０重量％〜約２重量％の量の腐食剤を含有し、
前記組成物のｐＨが、約１０〜約１４である、組成物。
【請求項１１】
前記アミジン溶媒が、以下の構造を有する、１，８−ジアザビシクロ［５．４．０］ウンデカ−７−エンを含む、請求項１０に記載の組成物。
【化４】
2020179940.tif 000047
【請求項１２】
前記水性または非水性塩基性有機溶媒が、脂肪族ジアルキルアミド、脂肪族アミドアミン、及び／または脂肪族エステルアミンである、請求項１０又は１１に記載の組成物。
【請求項１３】
前記溶媒が、一般的構造：
Ｒ１−ＣＯ−Ｘｍ−Ａｎ−ＮＲ２Ｒ３
を有し、式中、Ｒ１が、直鎖状または分岐鎖状の、飽和または不飽和であるＣ９〜Ｃ１６鎖であり、ＸがＯまたはＮＨであり、ＡがＣ２〜Ｃ８アルキレンであり、ｍが０または１であり、ｎが０または１であり、Ｒ２及びＲ３が同じかまたは異なるＣ１〜Ｃ６アルキルである、請求項１２に記載の組成物。
【請求項１４】
前記少なくとも１つの界面活性剤が、アルキルスルホネート、及び／またはアルコキシル化界面活性剤を含む、請求項１０〜１３のいずれか一項に記載の組成物。
【請求項１５】
消泡剤、湿潤剤、すすぎ補助剤、触媒、腐食防止剤、及びそれらの組み合わせからなる群から選択された、少なくとも１つの瓶洗浄添加剤をさらに含む、請求項１０〜１４のいずれか一項に記載の組成物。
【請求項１６】
前記組成物のｐＨが、約１２〜約１４であり、約０．１重量％〜約１５重量％の量の水性塩基性有機溶媒と、約１０重量％〜約７０重量％の量の水と、約５重量％〜約２０重量％の量のアミジン溶媒と、約５重量％〜約４０重量％の量の少なくとも１つの界面活性剤と、を含む、請求項１０〜１５のいずれか一項に記載の組成物。
【請求項１７】
前記組成物のｐＨが、約１２〜約１４であり、約１０重量％〜約５０重量％の量の非水性塩基性有機溶媒と、約４０重量％〜約７０重量％の量のアミジン溶媒と、約５重量％〜約２５重量％の量の少なくとも１つの界面活性剤と、を含む、請求項１０〜１５のいずれか一項に記載の組成物。
【請求項１８】
前記水性塩基性有機溶媒及び／またはアミジン溶媒が、前記組成物の約７０重量％未満の量で水をさらに含む、請求項１０〜１５のいずれか一項に記載の組成物。
【請求項１９】
芳香族スルホネート材料を含むヒドロトロープをさらに含む、請求項１０〜１８のいずれか一項に記載の組成物。
【外国語明細書】
2020179940000001.pdf